(57)【要約】  本開示は、セルラ通信システムにおいて同期信号ブロックインデックスシグナリングを提供することに関する。セルラ基地局は、１つ以上の同期信号ブロックをそれぞれ含む１つ以上の同期信号バーストを送信することを含めて、周期的パターンに従って同期信号を提供することができる。無線デバイスは、同期信号ブロックを検出することができる。無線デバイスは、検出された同期信号ブロックの同期信号ブロックインデックスを判定することができる。無線デバイスは、検出された同期信号ブロックの同期信号ブロックインデックスの指示をセルラ基地局に提供することができる。
2020519103.tif 000002
【特許請求の範囲】
【請求項１】
無線デバイスに、
セルラ基地局からの同期信号（ＳＳ）ブロックを検出させ、
同期信号が前記セルラ基地局によって送信される周期的パターンの期間内の前記ＳＳブロックの前記位置を特定する前記ＳＳブロックのＳＳブロックインデックスを判定させ、
前記無線デバイスによって検出された前記ＳＳブロックの前記ＳＳブロックインデックスの指示を前記セルラ基地局に送信させる、
ように構成された処理要素を備える、装置。
【請求項２】
１つ以上のＳＳブロックをそれぞれ含む１つ以上のＳＳバーストが前記周期的パターンの各期間内に送信され、前記ＳＳブロックの前記ＳＳブロックインデックスを判定するために、前記処理要素は、前記無線デバイスに、
前記検出されたＳＳブロックを含むＳＳバーストのＳＳインデックスを判定させ、
前記ＳＳバースト内の前記検出されたＳＳブロックの相対位置を判定させる、
ように更に構成されている、請求項１に記載の装置。
【請求項３】
前記ＳＳバースト内の前記検出されたＳＳブロックの前記相対位置を判定するために、前記処理要素は、前記無線デバイスに、
前記ＳＳバースト内のＳＳブロックの数に等しい数の復号化試行を実行させて、各可能な相対位置仮説を試験させるように更に構成されている、請求項２に記載の装置。
【請求項４】
前記処理要素は、前記無線デバイスに、
前記検出されたＳＳブロックの物理ブロードキャストチャネル部分と、前記検出されたＳＳブロックと同じＳＳバースト内の少なくとも１つの追加のＳＳブロックの物理ブロードキャストチャネル部分とのコヒーレントな組み合わせを実行させるように更に構成されている、請求項２に記載の装置。
【請求項５】
各ＳＳブロックの前記ＳＳブロックインデックスは、２パートシグナリング構成を使用して示され、１つのパートは、ＳＳバースト内の前記ＳＳブロックの相対位置を含み、別のパートは、各ＳＳバーストの前記１つ以上のＳＳブロックのそれぞれに明示的に示されるＳＳインデックス値を含む、請求項１に記載の装置。
【請求項６】
ＳＳバースト内の各ＳＳブロックの前記相対位置は、前記ＳＳバーストの前記ＳＳブロックのために構成された循環シフトの所定のパターンを使用して暗黙的にシグナリングされる、請求項５に記載の装置。
【請求項７】
ＳＳバースト内の各ＳＳブロックの前記相対位置は、前記ＳＳバーストの前記ＳＳブロックのために構成されたスクランブルコードの所定のパターンを使用して暗黙的にシグナリングされる、請求項５に記載の装置。
【請求項８】
ＳＳバースト内の異なる各ＳＳブロックの対応する物理ブロードキャストチャネル（ＰＢＣＨ）は、異なるスクランブルコードを使用してスクランブルされる、請求項１に記載の装置。
【請求項９】
アンテナと、
前記アンテナに動作可能に接続された無線機と、
前記無線機に動作可能に接続された処理要素と、
を備える無線デバイスであって、
前記無線デバイスは、
セルラ基地局からの同期信号（ＳＳ）ブロックを検出し、
前記検出されたＳＳブロックを含むＳＳバーストのＳＳバーストインデックスを判定し、
前記ＳＳバースト内の前記検出されたＳＳブロックの相対位置を判定し、
前記ＳＳバーストインデックス及び前記ＳＳバースト内の前記検出されたＳＳブロックの前記相対位置に少なくとも部分的に基づいて、前記検出されたＳＳブロックのＳＳブロックインデックスを判定し、
前記検出されたＳＳブロックの前記ＳＳブロックインデックスの指示を前記セルラ基地局に送信する、
ように構成されている、無線デバイス。
【請求項１０】
ＳＳバースト内のＳＳブロックの前記相対位置が、循環シフトを使用して暗黙的にシグナリングされ、前記ＳＳバースト内の前記検出されたＳＳブロックの前記相対位置を判定するために、前記無線デバイスは、
各復号化試行が異なる数の循環シフトを使用する、複数の復号化試行を実行して、前記検出されたＳＳブロックに対する複数の相対位置仮説を試験し、
前記検出されたＳＳブロックの物理ブロードキャストチャネル部分を正常に復号するために使用される循環シフトの数を判定し、
前記検出されたＳＳブロックの前記物理ブロードキャストチャネル部分を正常に復号するために使用される循環シフトの前記数に少なくとも部分的に基づいて、前記ＳＳバースト内の前記検出されたＳＳブロックの前記相対位置を判定する、
ように更に構成されている、請求項９に記載の無線デバイス。
【請求項１１】
ＳＳバースト内のＳＳブロックの前記相対位置が、スクランブルコードを使用して暗黙的にシグナリングされ、前記ＳＳバースト内の前記検出されたＳＳブロックの前記相対位置を判定するために、前記無線デバイスは、
各復号化試行が異なるスクランブルコードを使用する複数の復号化試行を実行して、前記検出されたＳＳブロックに対する複数の相対位置仮説を試験し、
前記検出されたＳＳブロックの物理ブロードキャストチャネル部分を正常に復号するために使用されるスクランブルコードを判定し、
前記検出されたＳＳブロックの前記物理ブロードキャストチャネル部分を正常に復号するために使用される前記スクランブルコードに少なくとも部分的に基づいて、前記ＳＳバースト内の前記検出されたＳＳブロックの前記相対位置を判定する、
ように更に構成されている、請求項９に記載の無線デバイス。
【請求項１２】
前記ＳＳが、周期的パターンに従って前記セルラ基地局によって送信され、
前記周期的パターンの各期間内で、複数のＳＳブロックをそれぞれ含む複数のＳＳバーストが送信され、各ＳＳブロックは、一次同期信号部分、二次同期信号部分、及び物理ブロードキャストチャネル部分を含み、ＳＳバースト内の各ＳＳブロックは、少なくとも前記物理ブロードキャストチャネル部分内に同一のコンテンツを有する、請求項９に記載の無線デバイス。
【請求項１３】
前記無線デバイスは、
前記検出されたＳＳブロックの前記ＳＳブロックインデックスに少なくとも部分的に基づいて、前記セルラ基地局によって提供されるセルの無線フレームレベルタイミングを判定するように更に構成されている、請求項９に記載の無線デバイス。
【請求項１４】
アンテナと、
前記アンテナに動作可能に接続された無線機と、
前記無線機に動作可能に接続された処理要素と、
を備えるセルラ基地局であって、
前記セルラ基地局は、
周期的パターンに従って、複数の同期信号（ＳＳ）ブロックであって、前記周期的パターンの各期間内で、１つ以上のＳＳブロックをそれぞれ含む１つ以上のＳＳバーストが送信され、各ＳＳブロックが、前記期間内の各ＳＳブロックの位置を特定するＳＳブロックインデックスを有する、複数の同期信号（ＳＳ）ブロックを送信し、
前記セルラ基地局の通信範囲内の１つ以上の無線デバイスのそれぞれに関して、無線デバイスによって検出されたＳＳブロックのＳＳブロックインデックスの指示を受信する、
ように構成されている、セルラ基地局。
【請求項１５】
前記セルラ基地局は、
２パートシグナリング構成を使用して、各ＳＳブロックの前記ＳＳブロックインデックスを示すように更に構成されており、１つのパートは、ＳＳバースト内の前記ＳＳブロックの相対位置を含み、別のパートは、各ＳＳバーストの前記１つ以上のＳＳブロックのそれぞれに明示的に示されるＳＳインデックス値を含む、請求項１４に記載のセルラ基地局。
【請求項１６】
前記セルラ基地局は、
ＳＳバースト内の各ＳＳブロックの前記相対位置を、前記ＳＳバーストの前記ＳＳブロックのために構成された循環シフトの所定のパターンを使用して暗黙的にシグナリングする
ように更に構成されている、請求項１５に記載のセルラ基地局。
【請求項１７】
前記セルラ基地局は、
ＳＳバースト内の各ＳＳブロックの前記相対位置を、前記ＳＳバーストの前記ＳＳブロックのために構成されたスクランブルコードの所定のパターンを使用して暗黙的にシグナリングする
ように更に構成されている、請求項１５に記載のセルラ基地局。
【請求項１８】
前記セルラ基地局は、
前記周期的パターンの各期間内で、複数のＳＳブロックをそれぞれ含む複数のＳＳバーストを送信するように更に構成されており、各ＳＳブロックは、一次同期信号部分、二次同期信号部分、及び物理ブロードキャストチャネル部分を含み、ＳＳバースト内の各ＳＳブロックは、少なくとも前記物理ブロードキャストチャネル部分内に同一のコンテンツを有する、請求項１４に記載のセルラ基地局。
【請求項１９】
前記セルラ基地局は、
前記無線デバイスによって検出された前記ＳＳブロックの前記ＳＳブロックインデックスの前記指示に少なくとも部分的に基づいて、前記無線デバイスへの１つ以上の後続の送信のためのビーム構成を選択するように更に構成されている、請求項１４に記載のセルラ基地局。
【請求項２０】
各ＳＳバーストは、１つ以上の公称ＳＳブロックを含み、
前記周期的パターンの各期間内で、前記公称ＳＳブロックを含むＳＳバーストの開始に対する各公称ＳＳブロックのタイミングオフセットが固定され、
前記セルラ基地局は、
ＳＳバーストの１つ以上の公称ＳＳブロックを送信しないことを決定するように更に構成されている、請求項１４に記載のセルラ基地局。
【発明の詳細な説明】
【技術分野】
【０００１】
本出願は、無線通信に関し、より具体的には、セルラ通信システムにおいて同期信号ブロックインデックスシグナリングを提供するためのシステム、装置、及び方法に関する。
【背景技術】
【０００２】
無線通信システムの使用が急速に増大している。近年、スマートフォンやタブレットコンピュータなどの無線デバイスは益々洗練されてきている。現在、多くのモバイルデバイス（すなわち、ユーザ機器デバイス、又はＵＥ）は、電話への対応に加え、インターネット、電子メール、テキストメッセージング、及び全地球測位システム（ＧＰＳ）を用いたナビゲーションへのアクセスを提供し、これらの機能を利用する洗練されたアプリケーションを動作させることができる。加えて、数多くの異なる無線通信技術及び標準が存在する。無線通信標準のいくつかの例として、ＧＳＭ、（例えば、ＷＣＤＭＡ又はＴＤ−ＳＣＤＭＡエアインタフェースに関連する）ＵＭＴＳ、ＬＴＥ、ＬＴＥ  Ａｄｖａｎｃｅｄ（ＬＴＥ−Ａ）、ＨＳＰＡ、３ＧＰＰ２  ＣＤＭＡ２０００（例えば、１ｘＲＴＴ、１ｘＥＶ−ＤＯ、ＨＲＰＤ、ｅＨＲＰＤ）、ＩＥＥＥ８０２．１１（ＷＬＡＮ又はＷｉ−Ｆｉ）、ＢＬＵＥＴＯＯＴＨ（商標）などが挙げられる。
【０００３】
無線通信デバイスに導入される絶えず増えつつある特徴及び機能はまた、無線通信と無線通信デバイスの両方を改善する継続的な必要性を生んでいる。特に、ユーザ機器（ＵＥ）デバイスを介して、例えば無線セルラ通信で使用されるセルラ電話、基地局、及び中継局などの無線デバイスを介した送信信号及び受信信号の精度を保証することが重要である。加えて、ＵＥデバイスの機能性を増大させることにより、ＵＥデバイスの電池寿命に大きな負荷が課され得る。従って、通信を改善するためにＵＥデバイスが良好な送信及び受信能力を維持できるようにする一方で、ＵＥデバイスの所要電力を削減することも非常に重要である。
【０００４】
カバレッジを増大させ、無線通信の想定される使用に対する増大する要求及び範囲により良く対応するために、上述の通信標準に加えて、第５世代（５Ｇ）新無線（ＮＲ）通信を含む、開発中の更なる無線通信技術が存在する。それに応じて、このような開発及び設計をサポートする、この分野における改善が望まれる。
【発明の概要】
【０００５】
本明細書では、セルラ通信システムにおいて同期信号ブロックインデックスシグナリングを提供するための装置、システム、及び方法の実施形態が提示される。
【０００６】
本明細書に記載される技術によれば、同期信号は、所定の周期的パターンに従って、セルラ通信システムにおいて提供されてもよい。周期的パターンによれば、各同期信号期間は、同期信号バーストセットと呼ばれる場合があり、各同期信号バーストセットは、１つ以上の同期信号バーストを含んでもよく、同期信号バーストは、次いで、１つ以上の同期信号ブロックに細分化されてもよい。
【０００７】
そのような所定の周期的パターンに従って同期信号を提供するセルラ基地局は、セルラ基地局によって送信された各同期信号ブロックのインデックス値をシグナリングするためのマルチレベル方式を利用することができ、この方式は、基地局が、どの公称同期信号ブロックが実際に基地局によって送信されるか、どのビームフォーミング構成を使用して各同期信号ブロックを送信するか、及び／又は様々な他の送信パラメータを選択することに関して、実質的な柔軟性を保持することを可能にすることができる。
【０００８】
この方式は、各同期信号ブロックが位置する同期信号バーストの明示的シグナリング、及び同期信号バースト内の各同期信号ブロックの相対位置の暗黙的シグナリングを含むことができる。特に、同期信号バースト内の同期信号ブロックの相対位置を示すための暗黙的シグナリング方式の使用により、例えば、同期信号バーストの同期信号ブロックのコンテンツが、そのような方式を使用するときに同一であることが可能であり得るため、無線デバイスが、同期信号バーストの複数の同期信号ブロックのコヒーレントな組み合わせを実行することを潜在的に可能にすることができる。
【０００９】
そのような方式に従って提供される同期信号ブロックを検出する無線デバイスは、例えば、マルチパートシグナリング方式に基づいて、検出された同期信号ブロックの同期信号ブロックインデックスを判定することができ得る。無線デバイスは、検出された同期信号ブロックの同期信号ブロックインデックスを判定することに基づいて、セルラ基地局によって提供されるセルの無線フレームレベルタイミング及び／又は他の特性を判定することができ得る。
【００１０】
加えて又は代わりに、無線デバイスは、無線デバイスによって検出された同期信号ブロックの同期信号ブロックインデックスの指示（インジケーション）をセルラ基地局に提供することができる。これにより、セルラ基地局が、無線デバイスとの後続の通信を実行する際に使用するための１つ以上の通信特性を決定することを支援することができる。そのような可能性の１つとして、セルラ基地局は、無線デバイスによって検出された同期信号ブロックの同期信号ブロックインデックスに基づいて、無線デバイスと通信するときに使用するビームフォーミング構成を決定することができる。例えば、セルラ基地局は、無線デバイスによって検出された同期信号ブロックを送信するために使用したものと同じビームフォーミング構成を使用してもよい。それは、無線デバイスがその特定の同期信号ブロックを検出する能力が、そのビームフォーミング構成が比較的良好な信号強度及び／又は品質を無線デバイスに提供することができるというインジケータであり得るためである。
【００１１】
本明細書に記載された技術は、基地局、アクセスポイント、セルラ電話、ポータブルメディアプレーヤ、タブレットコンピュータ、ウェアラブルデバイス、及び様々な他のコンピューティングデバイスを含むがこれらに限られない、複数の異なるタイプのデバイス内に実装され、及び／又はそれらデバイスと共に使用されてもよいことに留意されたい。
【００１２】
この発明の概要は、この書類において説明される主題のいくつかの簡易的な概要を提供することを意図している。したがって、上記説明された特徴は、実施例にすぎず、いずれかの方式において本明細書で説明される主題の範囲及び趣旨を狭めると解釈されるべきでないことを理解されよう。本明細書で説明される主題の他の特徴、態様、及び利点は、以下の詳細な説明、図面、及び特許請求の範囲から明らかになるであろう。
【図面の簡単な説明】
【００１３】
【図１】いくつかの実施形態に係る、例示的な（かつ簡略化された）無線通信システムを示す。
【００１４】
【図２】いくつかの実施形態に係る、例示的な無線ユーザ機器（ＵＥ）デバイスと通信する例示的な基地局を示す。
【００１５】
【図３】いくつかの実施形態に係る、例示的なＵＥのブロック図を示す。
【００１６】
【図４】いくつかの実施形態に係る、例示的な基地局のブロック図を示す。
【００１７】
【図５】いくつかの実施形態に係る、セルラ通信システムにおいて同期信号ブロックインデックスシグナリングを提供するための、例示的な可能な方法の態様を示す通信フロー図である。
【００１８】
【図６】いくつかの実施形態に係る、２つの例示的な可能な同期信号ブロック編成方式を示す。
【００１９】
【図７】いくつかの実施形態に係る、送信するための、同期信号ブロックの例示的な可能なネットワークの選択されたセットを示す。
【００２０】
【図８】いくつかの実施形態に係る、スクランブルコードを使用する、例示的な可能な同期信号ブロックインデックスシグナリング方式を示す。
【００２１】
【図９】いくつかの実施形態に係る、循環シフトを使用する、例示的な可能な同期信号ブロックインデックスシグナリング方式を示す。
【００２２】
【図１０】いくつかの実施形態に係る、前の同期信号ブロック及び後続の同期信号ブロックと共に、無線デバイスによって検出された例示的な可能な同期信号ブロックを示す。
【００２３】
本明細書で説明される特徴は、様々な修正形態及び代替形態を許容するが、その特定の実施形態を図面において例として示し、ここで詳細に説明する。しかし、図面及びそれらに対する詳細な説明は、開示されている特定の形態に限定することを意図するものではなく、逆に、その意図は、添付の「特許請求の範囲」によって定義されるような本主題の趣旨及び範囲内に収まる、全ての修正、均等物、及び代替物を包含することである点を理解されたい。
【発明を実施するための形態】
【００２４】
略称
様々な略称が本出願を通して使用される。本出願を通じて出現し得る最も顕著に使用される頭字語の定義を以下に示す。
・ＵＥ：ユーザ機器
・ＲＦ：無線周波数
・ＢＳ：基地局
・ＧＳＭ：移動体通信グローバルシステム
・ＵＭＴＳ：ユニバーサル移動体通信システム
・ＬＴＥ：ロングタームエボリューション
・ＮＲ：新無線
・ＴＸ：送信／送信する
・ＲＸ：受信／受信する
・ＬＡＮ：ローカルエリアネットワーク
・ＷＬＡＮ：無線ＬＡＮ
・ＡＰ：アクセスポイント
・ＲＡＴ：無線アクセス技術
・ＩＥＥＥ：米国電気電子学会
・Ｗｉ−Ｆｉ：ＩＥＥＥ８０２．１１標準に基づく無線ローカルエリアネットワーク（ＷＬＡＮ）ＲＡＴ
用語
以下は本明細書で出現し得る用語集である。
【００２５】
記憶媒体−様々な種類の非一時的なメモリデバイス又は記憶デバイスのうちの任意のもの。用語「記憶媒体」は、インストール媒体、例えば、ＣＤ−ＲＯＭ、フロッピーディスク又はテープデバイス、ＤＲＡＭ、ＤＤＲ  ＲＡＭ、ＳＲＡＭ、ＥＤＯ  ＲＡＭ、Ｒａｍｂｕｓ  ＲＡＭなどの、コンピュータシステムメモリ又はランダムアクセスメモリ、フラッシュ、磁気媒体、例えばハードドライブ、又は光記憶装置などの、不揮発性メモリ、レジスタ、又はその他の同様の種類の記憶要素などを含むことが意図されている。記憶媒体は、他の種類の非一時的メモリ、並びにそれらの組み合わせも含んでもよい。加えて、記憶媒体は、プログラムが実行される第１のコンピュータシステム内に位置してもよく、又はインターネットなどのネットワークを通じて第１のコンピュータシステムに接続する、第２の異なるコンピュータシステム内に位置してもよい。後者の場合には、第２のコンピュータシステムは、第１のコンピュータシステムに、実行するためのプログラム命令を提供することができる。用語「記憶媒体」は、異なる位置、例えば、ネットワークを通じて接続された異なるコンピュータシステム内に存在することができる２つ以上の記憶媒体を含んでもよい。記憶媒体は、１つ以上のプロセッサによって実行することができるプログラム命令（例えば、コンピュータプログラムとして具現化された）を記憶してもよい。
【００２６】
搬送媒体−上述のような記憶媒体、並びにバス、ネットワークなどの物理的伝送媒体、及び／又は電気信号、電磁信号、若しくはデジタル信号などの信号を伝送する他の物理的伝送媒体。
【００２７】
コンピュータシステム（又はコンピュータ）−パーソナルコンピュータシステム（ＰＣ）、メインフレームコンピュータシステム、ワークステーション、ネットワーク機器、インターネット機器、パーソナルデジタルアシスタント（ＰＤＡ）、テレビシステム、グリッドコンピューティングシステム、若しくは他のデバイス又はデバイスの組み合わせを含む、任意の様々な種類のコンピューティングシステム又は処理システム。一般に、用語「コンピュータシステム」は、記憶媒体からの命令を実行する少なくとも１つのプロセッサを有する任意のデバイス（又はデバイスの組み合わせ）を包含するように広く定義されてもよい。
【００２８】
ユーザ機器（ＵＥ）（又は、「ＵＥデバイス」）−移動式又は携帯式であり、無線通信を実行する、様々な種類のコンピュータシステム又はデバイスのうちの任意のもの。ＵＥデバイスの例としては、携帯電話又はスマートフォン（例えば、ｉＰｈｏｎｅ（商標）、Ａｎｄｒｏｉｄ（商標）ベースの電話）、タブレットコンピュータ（例えば、ｉＰａｄ（商標）、Ｓａｍｓｕｎｇ  Ｇａｌａｘｙ（商標））、ポータブルゲームデバイス（例えば、Ｎｉｎｔｅｎｄｏ  ＤＳ（商標）、ＰｌａｙＳｔａｔｉｏｎ  Ｐｏｒｔａｂｌｅ（商標）、Ｇａｍｅｂｏｙ  Ａｄｖａｎｃｅ（商標）、ｉＰｈｏｎｅ（商標））、ウェアラブルデバイス（例えば、スマートウォッチ、スマートグラス）、ラップトップ、ＰＤＡ、ポータブルインターネットデバイス、音楽プレーヤ、データ記憶デバイス、又は他のハンドヘルドデバイスなどが挙げられる。一般に、用語「ＵＥ」又は「ＵＥデバイス」は、ユーザによって容易に持ち運ばれ、無線通信が可能な、あらゆる電子デバイス、コンピューティングデバイス、及び／又は遠隔通信デバイス（あるいはデバイスの組み合わせ）を包含するように幅広く定義され得る。
【００２９】
無線デバイス−無線通信を実行する様々な種類のコンピュータシステム又はデバイスのうちの任意のもの。無線デバイスは、携帯式（若しくは移動式）とすることができる、又は特定の場所に定置若しくは固定することができる。ＵＥは、無線デバイスの一例である。
【００３０】
通信デバイス−通信を実行する様々な種類のコンピュータシステム又はデバイスのうちの任意のものであって、通信は、有線又は無線とすることができる。通信デバイスは、携帯式（若しくは移動式）とすることができる、又は特定の位置に定置若しくは固定することができる。無線デバイスは、通信デバイスの一例である。ＵＥは、通信デバイスの別の例である。
【００３１】
基地局（ＢＳ）−用語「基地局」は、その通常の意味の全てを有し、少なくとも、固定位置に設置され、無線電話システム又は無線システムの一部として通信するために使用される無線通信局を含む。
【００３２】
処理要素−デバイス内で、例えば、ユーザ機器デバイス内で、又はセルラネットワークデバイス内で機能を実行することが可能な、様々な要素若しくは要素の組み合わせを指す。処理要素は、例えば、プロセッサ及び関連するメモリ、個別のプロセッサコアの一部又は回路、プロセッサコア全体、プロセッサアレイ、ＡＳＩＣ（特定用途向け集積回路）などの回路、フィールドプログラマブルゲートアレイ（ＦＰＧＡ）などのプログラム可能なハードウェア要素、並びに上述のものの任意の様々な組み合わせを含んでもよい。
【００３３】
Ｗｉ−Ｆｉ−用語「Ｗｉ−Ｆｉ」は、その通常の意味の全範囲を有するものであり、無線ＬＡＮ（ＷＬＡＮ）アクセスポイントによってサービスが提供され、これらのアクセスポイントを通じてインターネットへの接続性を提供する、無線通信ネットワーク又はＲＡＴを少なくとも含む。最新のＷｉ−Ｆｉネットワーク（又は、ＷＬＡＮネットワーク）は、ＩＥＥＥ８０２．１１標準に基づくものであり、「Ｗｉ−Ｆｉ」という名称で市販されている。Ｗｉ−Ｆｉ（ＷＬＡＮ）ネットワークは、セルラネットワークとは異なるものである。
【００３４】
自動的に−ユーザ入力が、アクション又は動作を直接指定若しくは実行することなく、コンピュータシステム（例えば、コンピュータシステムによって実行されるソフトウェア）又はデバイス（例えば、回路機構、プログラム可能なハードウェア要素、ＡＳＩＣなど）によって、それらのアクション又は動作が実行されることを指す。したがって、用語「自動的に」は、ユーザが入力を提供して操作を直接実行するような、ユーザによって手動で実行され又は指定される操作とは対照的である。自動手順は、ユーザが提供する入力によって開始されてもよいが、「自動的に」実行される後続のアクションはユーザによって指定されるものではなく、すなわち、実行するべき各アクションをユーザが指定する「手動で」は実行されない。例えば、ユーザが、各フィールドを選択し、情報を明示する入力を提供することによって（例えば、情報のタイピング、チェックボックスの選択、ラジオボタンの選択などによって）、電子フォームに記入することは、コンピュータシステムが、ユーザアクションに応じて、フォームを更新しなければならない場合であっても、手動でフォームに記入することである。フォームは、コンピュータシステムによって自動的に記入されてもよく、この場合、コンピュータシステム（例えば、コンピュータシステム上で実行されるソフトウェア）は、そのフィールドに対する回答を指定する何らのユーザ入力なしに、そのフォームのフィールドを分析して、フォームに記入する。上述のように、ユーザは、フォームの自動記入を呼び出すことができるが、フォームの実際の記入には関与しない（例えば、ユーザがフィールドに対する回答を手動で指定することはなく、むしろ、それらは自動的に完了される）。本明細書は、ユーザが取った動作に応じて自動的に実行される様々な動作の例を提供する。
【００３５】
ように構成されている−様々な構成要素が、タスクを実行する「ように構成されている」と説明され得る。そのようなコンテキストにおいて「ように構成されている」は、動作中のタスクを実行する「構造を有する」ことを一般的に意味する広範な説明である。このように、構成要素は、タスクを現在実行していない場合であっても、そのタスクを実行するように構成することができる（例えば、電気導体のセットは、２つのモジュールが接続されていなくても、モジュールを別のモジュールへ電気的に接続するように構成されていてもよい）。いくつかのコンテキストにおいて、「ように構成されている」は、動作中のタスクを実行する「回路を有する」ことを一般的に意味する広範な説明であってもよい。このように、構成要素は、現在オンでなくても、そのタスクを実行するように構成することができる。一般に、「構成されている」に対応する構造を形成する回路は、ハードウェア回路を含んでもよい。
【００３６】
本明細書の記載では、便宜上、タスクを実行するとして様々な構成要素を説明することができる。そのような説明は、語句「ように構成されている」を含むように解釈されるべきである。１つ以上のタスクを実行するように構成されている構成要素の説明は、米国特許法１１２条第６パラグラフのその構成要素についての解釈を引き起こさないことが、明確に意図されている。
図１及び図２−例示的な通信システム
【００３７】
図１は、いくつかの実施形態による、本開示の態様を実装することができる例示的な（かつ簡略化した）無線通信システムを示す。図１のシステムは、可能なシステムの単なる一例であり、実施形態は、要望に応じて、各種システム内のいずれかにおいて実施されてもよいことに留意されたい。
【００３８】
図示するように、例示的な無線通信システムは、伝送媒体を介して１つ以上の（例えば、任意の数の）ユーザデバイス１０６Ａ、１０６Ｂなど〜１０６Ｎと通信する基地局１０２を含む。本明細書では、ユーザデバイスの各々は「ユーザ機器」（ＵＥ）又はＵＥデバイスと称され得る。よって、ユーザデバイス１０６は、ＵＥ又はＵＥデバイスと称される。
【００３９】
基地局１０２は、無線基地局装置（base transceiver station、ＢＴＳ）又はセルサイトであってよく、ＵＥ１０６Ａ〜１０６Ｎとの無線通信を可能にするハードウェア及び／又はソフトウェアを含んでもよい。基地局１０２がＬＴＥのコンテキストにおいて実装される場合、それを代わりに、「ｅＮｏｄｅＢ」又は「ｅＮＢ」と称してもよい。基地局１０２が５Ｇ  ＮＲのコンテキストにおいて実装される場合、それを代わりに、「ｇＮｏｄｅＢ」又は「ｇＮＢ」と称してもよい。また、基地局１０２は、ネットワーク１００（例えば、様々な可能性のうち、セルラサービスプロバイダのコアネットワーク、公衆交換電話網（ＰＳＴＮ）などの電気通信ネットワーク、及び／又はインターネット）と通信するために装備されていてもよい。したがって、基地局１０２は、ユーザデバイス間の通信、及び／又はユーザデバイスとネットワーク１００との間の通信を円滑にすることができる。基地局の通信エリア（又は、カバレッジエリア）を「セル」と称してもよい。また本明細書で使用する場合、ＵＥの観点から、基地局は、ＵＥのアップリンク通信及びダウンリンク通信に関する限り、ネットワークを表すと考えられる場合がある。したがって、ネットワーク内の１つ以上の基地局と通信するＵＥは、ネットワークと通信するＵＥと解釈されてもよい。
【００４０】
基地局１０２及びユーザデバイスは、無線通信技術とも呼ばれる様々な無線アクセス技術（ＲＡＴ）、又はＧＳＭ、ＵＭＴＳ（ＷＣＤＭＡ）、ＬＴＥ、ＬＴＥ−Ａｄｖａｎｃｅｄ（ＬＴＥ−Ａ）、ＬＡＡ／ＬＴＥ−Ｕ、５Ｇ  ＮＲ、３ＧＰＰ２  ＣＤＭＡ２０００（例えば１ｘＲＴＴ、１ｘＥＶ−ＤＯ、ＨＲＰＤ、ｅＨＲＰＤ）、Ｗｉ−Ｆｉ、ＷｉＭＡＸなどの遠隔通信標準のいずれかを使用して伝送媒体上で通信するように構成されていてもよい。
【００４１】
したがって、基地局１０２と同一の又は異なるセルラ通信標準に従って動作する同様の他の基地局は、１つ以上のセルラ通信標準を介して地理的エリアにわたって連続した又は、ほぼ連続したオーバーラップするサービスをＵＥ１０６及び同様のデバイスに提供し得る、セルの１つ以上のネットワークとして提供され得る。
【００４２】
ＵＥ１０６は、複数の無線通信標準を使用して通信する能力を有することができることに留意されたい。例えば、ＵＥ１０６は、３ＧＰＰセルラ通信標準又は３ＧＰＰ２セルラ通信標準のいずれか又は両方を使用して通信するように構成されることもある。いくつかの実施形態では、ＵＥ１０６は、少なくとも本明細書に記載されるような様々な方法に従って、同期信号を受信し、同期信号の同期信号ブロックインデックスシグナリングを解釈するように構成されてもよい。ＵＥ１０６は、更に又は代替的に、ＷＬＡＮ、ＢＬＵＥＴＯＯＴＨ（商標）、１つ以上のグローバルナビゲーション衛星システム（ＧＮＳＳ、例えばＧＰＳ又はＧＬＯＮＡＳＳ）、１つ及び／又は複数の移動体テレビ放送標準（例えばＡＴＳＣ−Ｍ／Ｈ又はＤＶＢ−Ｈ）などを使用して通信するように構成されていることもある。無線通信標準の他の組み合わせ（３つ以上の無線通信標準を含む）も可能である。
【００４３】
図２は、いくつかの実施形態による、基地局１０２と通信する例示的なユーザ機器１０６（例えば、デバイス１０６Ａ〜１０６Ｎのうちの１つ）を示す。ＵＥ１０６は、携帯電話、ハンドヘルドデバイス、ウェアラブルデバイス、コンピュータ若しくはタブレット、又は実質的に任意の種類の無線デバイスなどの、無線ネットワーク接続性を有するデバイスであってもよい。ＵＥ１０６は、メモリに記憶されたプログラム命令を実行するように構成されたプロセッサを含んでもよい。ＵＥ１０６は、そのような記憶された命令を実行することによって、本明細書で説明される方法の実施形態のいずれかを実行してもよい。代わりに、又は加えて、ＵＥ１０６は、本明細書で説明される方法の実施形態のいずれか、又は本明細書で説明される方法の実施形態のいずれかの任意の部分を実行するように構成された、ＦＰＧＡ（フィールドプログラマブルゲートアレイ）などのプログラム可能なハードウェア要素を含んでもよい。ＵＥ１０６は、複数の無線通信プロトコルのいずれかを用いて通信するように構成されていてもよい。例えば、ＵＥ１０６は、ＣＤＭＡ２０００、ＬＴＥ、ＬＴＥ−Ａ、５Ｇ  ＮＲ、ＷＬＡＮ、又はＧＮＳＳのうちの２つ以上を使用して通信するように構成されていてもよい。無線通信標準の他の組み合わせも可能である。
【００４４】
ＵＥ１０６は、１つ以上のＲＡＴ標準に従った無線通信プロトコルの１つ以上を使用して通信するための１つ以上のアンテナを含んでもよい。いくつかの実施形態では、ＵＥ１０６は、複数の無線通信標準間で、受信チェーン及び／又は送信チェーンの１つ以上の部分を共用してもよい。共用される無線機は、無線通信を実行するための、単一のアンテナを含んでもよいし、（例えばＭＩＭＯ用の）複数のアンテナを含んでもよい。概して、無線機は、ベースバンドプロセッサ、アナログＲＦ信号処理回路（例えば、フィルタ、ミキサ、発振器、増幅器などを含む）、又はデジタル処理回路（例えば、デジタル変調と共に他のデジタル処理のための）の任意の組み合わせを含んでもよい。同様に、無線機は、上述したハードウェアを使用して１つ以上の受信チェーン及び送信チェーンを実装してもよい。
【００４５】
いくつかの実施形態では、ＵＥ１０６は、それを用いて通信するように構成されている各無線通信プロトコルについて送信チェーン及び／又は受信チェーン（例えば、別個のアンテナ及び他の無線機構成要素を含む）を含んでもよい。別の可能性として、ＵＥ１０６は、複数の無線通信プロトコルの間で共有される１つ以上の無線機、及び単一の無線通信プロトコルによって排他的に使用される１つ以上の無線機を含み得る。例えば、ＵＥ１０６は、ＬＴＥ又はＣＤＭＡ２０００  １ｘＲＴＴ（又はＬＴＥ若しくはＧＳＭ）のいずれかを用いて通信するための共用無線機と、Ｗｉ−Ｆｉ及びＢＬＵＥＴＯＯＴＨ（商標）の各々を使用して通信するための個別の無線機とを含んでもよい。他の構成も可能である。
図３−例示的なＵＥデバイスのブロック図
【００４６】
図３は、いくつかの実施形態による、例示的なＵＥ１０６のブロック図を示す。図示するように、ＵＥ１０６は、様々な目的用の部分を含んでもよい、システムオンチップ（ＳＯＣ）３００を含んでもよい。例えば、図示するように、ＳＯＣ３００は、ＵＥ１０６用のプログラム命令を実行し得るプロセッサ（単数又は複数）３０２、及び、グラフィック処理を実行し表示信号をディスプレイ３６０へ供給し得る表示回路３０４を含んでもよい。プロセッサ（単数又は複数）３０２はまた、プロセッサ（単数又は複数）３０２からアドレスを受信し、それのアドレスをメモリ（例えば、メモリ３０６、読み出し専用メモリ（ＲＯＭ）３５０、ＮＡＮＤフラッシュメモリ３１０）内の場所に変換するように構成されていてもよいメモリ管理ユニット（ＭＭＵ）３４０に、及び／又は表示回路３０４、無線機３３０、コネクタＩ／Ｆ３２０、及び／又はディスプレイ３６０などの他の回路又はデバイスに接続されてもよい。ＭＭＵ３４０は、メモリ保護及びページテーブル変換又はセットアップを実行するように構成されてもよい。いくつかの実施形態では、ＭＭＵ３４０は、プロセッサ（単数又は複数）３０２の一部として含まれてもよい。
【００４７】
図示するように、ＳＯＣ３００は、ＵＥ１０６の様々な他の回路に接続されてもよい。例えば、ＵＥ１０６は、（例えばＮＡＮＤフラッシュ３１０を含む）様々な種類のメモリ、（例えばコンピュータシステムと接続するための）コネクタインタフェース３２０、ディスプレイ３６０、及び（例えばＬＴＥ、ＬＴＥ−Ａ、ＮＲ、ＣＤＭＡ２０００、ＢＬＵＥＴＯＯＴＨ（商標）、Ｗｉ−Ｆｉ、ＧＰＳなどのための）無線通信回路３３０を含んでもよい。ＵＥデバイス１０６は、基地局及び／又は他のデバイスと無線通信を実行するための、少なくとも１つのアンテナ（例えば３３５ａ）を、及び場合によっては複数のアンテナ（例えばアンテナ３３５ａ及び３３５ｂによって図示される）を含んでもよい。アンテナ３３５ａ及び３３５ｂは一例として示されており、ＵＥデバイス１０６はより少ない、又はより多くのアンテナを含んでもよい。全般的には、それら１つ以上のアンテナは、アンテナ３３５と総称される。例えば、ＵＥデバイス１０６は、アンテナ（単数又は複数）３３５を使用して無線回路３３０を使用して無線通信を実行してもよい。上述のように、いくつかの実施形態では、ＵＥは複数の無線通信標準を使用して無線で通信するように構成されていてもよい。
【００４８】
本明細書に後で更に説明するように、ＵＥ１０６は、ＵＥ１０６が同期信号を受信し、同期信号の同期信号ブロックインデックスシグナリングを解釈するための方法を実装するためのハードウェア及びソフトウェア構成要素を含んでもよい。ＵＥデバイス１０６のプロセッサ（単数又は複数）３０２は、例えば記憶媒体（例えば非一時的コンピュータ可読記憶媒体）に記憶されたプログラム命令を実行することにより、本明細書に記載される方法の一部、又は全部を実装するように構成されていてもよい。他の実施形態では、プロセッサ（単数又は複数）３０２は、ＦＰＧＡ（フィールドプログラマブルゲートアレイ）、又はＡＳＩＣ（特定用途向け集積回路）などのプログラム可能なハードウェア要素として構成されていてもよい。更に、プロセッサ（単数又は複数）３０２は、同期信号を受信し、本明細書に開示される様々な実施形態による同期信号の同期信号ブロックインデックスシグナリングを解釈するために、図３に示すような他の構成要素と接続されてもよく、かつ／又は相互運用されてもよい。プロセッサ（単数又は複数）３０２はまた、ＵＥ１０６上で動作する様々な他のアプリケーション及び／又はエンドユーザアプリケーションを実装してもよい。
【００４９】
いくつかの実施形態では、無線機３３０は、様々な対応するＲＡＴ及び／又は標準のための通信制御に専用の別個のコントローラを含んでもよい。例えば、図３に示すように、無線機３３０は、Ｗｉ−Ｆｉコントローラ３５２、セルラコントローラ（例えばＮＲコントローラ）３５４、及びＢＬＵＥＴＯＯＴＨ（商標）コントローラ３５６を含んでもよく、少なくともいくつかの実施形態では、これらのコントローラの１つ以上又は全部が、互いに通信する、及びＳＯＣ３００と（より具体的にはプロセッサ（単数又は複数）３０２と）通信する、それぞれの集積回路（略してＩＣ又はチップ）として実装されてもよい。例えば、Ｗｉ−Ｆｉコントローラ３５２はセル−ＩＳＭリンク又はＷＣＩインタフェースを介してセルラコントローラ３５４と通信してもよく、及び／又はＢＬＵＥＴＯＯＴＨ（商標）コントローラ３５６はセル−ＩＳＭリンクなどを介してセルラコントローラ３５４と通信してもよい。無線機３３０内には３つの個別のコントローラが示されているが、他の実施形態は、ＵＥデバイス１０６において実装され得る様々な異なるＲＡＴのための、より少ない又はより多くの同様のコントローラを有する。
【００５０】
更に、コントローラが複数の無線アクセス技術に関連する機能を実装することができる実施形態も想定される。例えば、いくつかの実施形態によると、セルラコントローラ３５４は、セルラ通信を実行するためのハードウェア及び／又はソフトウェア構成要素に加えて、Ｗｉ−Ｆｉプリアンブル検出を実行するための、例えば、ＵＥ１０６による、アンライセンススペクトルにおいて可能な通信に関連する可能性がある非ライセンス周波数帯域で送信されたＷｉ−Ｆｉ物理層プリアンブルを検出するための、ハードウェア構成要素及び／又はソフトウェア構成要素を含み得る。別の可能性として、セルラコントローラ３５４は、Ｗｉ−Ｆｉ物理層プリアンブル信号を生成するための、例えば、非ライセンス周波数帯域で発生する、ＵＥ１０６によるアップリンク通信の一部として送信するための、ハードウェア構成要素及び／又はソフトウェア構成要素を含んでもよい。
図４−例示的な基地局のブロック図
【００５１】
図４は、いくつかの実施形態による、例示的な基地局１０２のブロック図を示す。図４の基地局は、可能な基地局の１つの実施例にすぎないことに留意されたい。図示するように、基地局１０２は、基地局１０２に対してプログラム命令を実行することができるプロセッサ（単数又は複数）４０４を含んでもよい。プロセッサ（単数又は複数）４０４はまた、プロセッサ（単数又は複数）４０４からアドレスを受信し、それらのアドレスをメモリ（例えば、メモリ４６０及び読み出し専用メモリ（ＲＯＭ）４５０）又は他の回路若しくはデバイス内の場所に変換するように構成されてもよいメモリ管理ユニット（ＭＭＵ）４４０に接続されてもよい。
【００５２】
基地局１０２は、少なくとも１つのネットワークポート４７０を含んでもよい。ネットワークポート４７０は、電話ネットワークに接続し、図１及び図２において上記説明したようなＵＥデバイス１０６などの複数のデバイスに、電話ネットワークへのアクセスを提供するように構成されていてもよい。ネットワークポート４７０（又は追加のネットワークポート）は、更に又は代替的に、セルラネットワーク、例えばセルラサービスプロバイダのコアネットワークに接続するように構成されていてもよい。コアネットワークは、ＵＥデバイス１０６などの複数のデバイスに、モビリティ関連サービス及び／又は他のサービスを提供することができる。一部の場合には、ネットワークポート４７０は、コアネットワークを介して電話網に連結することができ、かつ／又はコアネットワークは、（例えば、セルラサービスプロバイダによってサービス提供される他のＵＥデバイスとの間で）電話網を提供することができる。
【００５３】
基地局１０２は、少なくとも１つのアンテナ４３４、場合によっては、複数のアンテナを含んでもよい。アンテナ（単数又は複数）４３４は、無線送受信機として動作するように構成されていてもよく、無線機４３０によって、ＵＥデバイス１０６と通信するように更に構成されていてもよい。アンテナ（単数又は複数）４３４は、通信チェーン４３２を介して、無線機４３０と通信する。通信チェーン４３２は、受信チェーン、送信チェーン、又はその両方であってもよい。無線機４３０は、ＮＲ、ＬＴＥ、ＬＴＥ−Ａ、ＷＣＤＭＡ、ＣＤＭＡ２０００などを含むがこれに限定されない、様々な無線電気通信標準を介して通信するように設計されてもよい。基地局１０２のプロセッサ４０４は、例えば、記憶媒体（例えば、非一時的コンピュータ可読記憶媒体）に記憶されたプログラム命令を実行することによって、本明細書で説明される方法のうちの一部又は全てを実装する及び／又は実装をサポートするように構成されていてもよい。代わりに、プロセッサ４０４は、ＦＰＧＡ（フィールドプログラマブルゲートアレイ）などのプログラム可能なハードウェア要素として、若しくはＡＳＩＣ（特定用途向け集積回路）として、又はそれらの組み合わせとして構成されていてもよい。所定のＲＡＴ、例えばＷｉ−Ｆｉの場合、基地局１０２はアクセスポイント（ＡＰ）として設計されてもよく、この場合ネットワークポート４７０は、ワイドエリアネットワーク（単数又は複数）及び／又はローカルエリアネットワーク（単数又は複数）へのアクセスを提供するように実装されてもよく、例えば、少なくとも１つのイーサネットポートを含んでもよく、無線機４３０は、Ｗｉ−Ｆｉ標準に従って通信するように設計されてもよい。基地局１０２は、同期信号ブロックインデックスシグナリングを提供するために、本明細書に開示されるような様々な方法に従って動作することができる。
図５−同期信号ブロックインデックスシグナリング
【００５４】
同期信号は、一般に、無線デバイスがセルラ通信システムのセルに関するシステム情報を検出し取得するのを支援するために、セルラ通信システムにおいて使用されてもよい。様々な実施形態によれば、一次同期信号（primary synchronization signals、ＰＳＳ）、二次同期信号（secondary synchronization signals、ＳＳＳ）、物理ブロードキャストチャネル（physical broadcast channel、ＰＢＣＨ）、及び／又は様々な他の部分の任意のものを含み得る、複数種類の同期信号が存在し得る。同期信号は、様々な可能性の中でも、セルのタイミング同期（例えば、シンボル、タイムスロット、サブフレーム、及び／又は無線フレームレベルタイミング）、物理セル識別子（セルＩＤ）、及び／又はシステム情報の一部若しくは全部（例えば、マスタ情報ブロック（master information block、ＭＩＢ）、１つ以上のシステム情報ブロック（system information blocks、ＳＩＢ）など）などの、セル検出／アクセスの１つ以上の態様を提供／容易にすることができる。
【００５５】
同期信号は、一緒に又は異なる時間に提供されてもよく、所望に応じて、様々な送信パターンの任意のものに従って送信されてもよい。１つの可能性として（例えば、３ＧＰＰ  ＬＴＥに従って）、ＰＳＳ、ＳＳＳ、及びＰＢＣＨは、別個の周期的間隔で提供されてもよい。別の可能性として（例えば、３ＧＰＰ  ＮＲに従って）、ＰＳＳ、ＳＳＳ、及びＰＢＣＨは、所望の送信パターンに従って送信される複数の同期信号ブロックのそれぞれにおいて、一緒に（例えば、連続するシンボルを使用して）提供されてもよい。いくつかの実施形態によれば、セルによって提供される同期信号の各周期的パターンは、同期信号バーストセットと呼ばれることがある。
【００５６】
これは、少なくとも場合によっては、無線デバイスが、同期信号バーストセット内のどの同期信号ブロックが無線デバイスによって検出されたかを判定するのに有用であり得る。例えば、そのような情報は、無線デバイスが、セルの無線フレームレベルタイミングを判定するのに役立つことができる。それは、更に又は代わりに、セルラ基地局が、同期信号バーストセット内のどの同期信号ブロックがそのセルに属している無線デバイスによって検出されたかを判定するのに有用であり得る。例えば、場合によっては、どの同期信号ブロックを無線デバイスが検出することができるかを判定することによって有用な情報を得ることができるように、同期信号バーストセット内の異なる同期信号ブロックの送信特性は、異なってもよい。
【００５７】
異なる同期信号ブロック送信間で異なってもよい１つのそのような可能な送信特性としては、同期信号ブロックのビーム方向を挙げることができる。いくつかの実施形態では、同期信号ブロックの一部又は全ては、全方向信号を使用して送信されてもよく、これは、いくつかの実施形態によれば、より低い周波数範囲（例えば、場合によっては、２ＧＨｚの配置）に配置されたセルに対して良好に機能することができる。別の可能性として、同期信号ブロックの一部又は全ては、ビームフォーミングすることができる。更に、異なるビームフォーミング構成を使用して、異なる同期信号ブロックを送信することが可能であり得る。例えば、各同期バーストセットの過程にわたって、セルのカバレッジエリアの様々な部分のそれぞれを対象にした送信を提供する掃引ビーム信号を提供することが可能であり得る。そのような構成は、いくつかの実施形態によれば、より高い周波数範囲（例えば、場合によってはミリ波／６０ＧＨｚの配置）に配置されたセルに有用であり得る。
【００５８】
したがって、掃引ビーム信号構成が使用される（又は同期信号ブロックが異なる時間に異なるビーム構成を使用して別の方法で送信される）場合、セルラ基地局が、どの同期信号ブロック（したがって、どのビーム方向）を無線デバイスが最も効果的に検出することができるかを特定することができることが有用であり得る。
【００５９】
したがって、無線デバイスが、どの同期信号ブロックが無線デバイスによって検出されるかを判定する（及び潜在的に報告して返す）ことができるように、同期信号ブロックのためのシグナリングを提供することが有用であり得る。図５は、いくつかの実施形態による、基地局が同期信号を、それらの同期信号の同期信号ブロックインデックスをシグナリングすることを含めて、セルラ通信システム内の無線デバイスに提供するため、及び無線デバイスが、検出された同期信号ブロックの同期信号ブロックインデックスを判定し、その同期信号ブロックインデックスを報告して返すための、そのような方法を示す通信フロー図である。
【００６０】
図５の方法の態様は、本明細書中の様々な図に例示され、それらの図に関して説明されているＵＥ１０６及びＢＳ１０２などの無線デバイス及びセルラ基地局によって、又は、より一般的には、所望に応じて、他のデバイスの中でも上述の図に示されるコンピュータシステム若しくはデバイスのいずれかと併せて、実装することができる。図５の方法の少なくともいくつかの要素は、ＮＲ規格及び／又は３ＧＰＰ規格と関連する通信の技術及び／又は特徴の使用に関係するように記載されているが、このような説明は、本開示を限定することを意図するものではなく、図５の方法の態様は、必要に応じて、任意の好適な無線通信システムにおいて使用され得ることに留意されたい。様々な実施形態では、図示された方法の要素のうちのいくつかを同時に実行してもよく、図示されたものとは異なる順序で実行してもよく、他の方法要素によって置換されてもよく、又は省略してもよい。要望に応じて、追加の方法要素も実行されてもよい。図示するように、図５の方法は、以下のように動作し得る。
【００６１】
いくつかの実施形態によれば、いくつかの又は全ての同期信号（synchronization signal、ＳＳ）送信パラメータは、場合により一部の特性がセルが配置される周波数帯域に依存して、予め決定されてもよい（例えば、所与のセルラ通信技術のための標準文書内で規定される、無線デバイス設計者、製造業者、及び／若しくは供給業者と合意して、ネットワークオペレータ及び／若しくはインフラストラクチャ供給業者によって予め固定される、又は他の方法で予め決定される）。例えば、いくつかの実施形態によれば、ＳＳのＳＳバーストセット周期性などの特定の公称ＳＳ構成パラメータは、予め決定することができる。１つの可能性として、ＳＳバーストセット周期性は、セルによって使用される無線フレーム長に対応することができる。いくつかの実施形態によれば、各ＳＳバーストセットは、１つ以上の公称ＳＳバースト（ＳＳグループとも呼ばれることがある）を含んでもよく、公称ＳＳバーストのそれぞれが、次いで、１つ以上の公称ＳＳブロックを更に含んでもよい。各ＳＳブロックは、一次同期信号、二次同期信号、及び物理ブロードキャストチャネルを含むことができる。いくつかの実施形態では、各ＳＳバースト内の公称ＳＳブロックの数は、予め決定することができる。いくつかの実施形態によれば、各公称ＳＳバースト及びＳＳバースト内の各公称ＳＳブロックの相対位置（タイミング）は、更に又は代わりに予め決定することができる。したがって、そのような所定の公称ＳＳ構成では、各公称ＳＳブロックは、ＳＳバーストセット内の所定の位置を有することができる。ＳＳバーストセット周期性が無線フレーム長に対応する場合、したがって、どの公称ＳＳブロックを無線デバイスが検出するかを判定することにより、無線デバイスがセルの無線フレームレベルタイミングを判定することを更に可能にすることができる。あるいは、そのような送信パラメータの一部又は全てをセルを提供するセルラ基地局によって動的に選択することも可能であり得る。
【００６２】
そのようなフレームワーク内では、ＢＳ１０２は、少なくともいくつかのＳＳ送信パラメータのなんらかの制御を有することができる。したがって、５０２において、ＢＳ１０２は、１つ以上のＳＳ送信パラメータを決定することができる。１つの可能性として、これは、各ＳＳバーストセットのどの公称ＳＳブロックがＢＳ１０２によって送信されるかを決定することを含むことができる。各ＳＳバーストセット内の公称ＳＳブロック及びＳＳバーストの構成は予め決定することができるが、それらの公称ＳＳブロック（及び潜在的にＳＳバースト全体）のどれが実際にＢＳによって送信されるかをＢＳが選択できる場合があり得る。例えば、場合によっては、ＢＳは、１つ以上のスロットのアップリンク部分の間に生じるＳＳブロックを送信しないように選択してもよく、又は、それらのＳＳバーストを送信することなく良好なセルカバレッジを提供することができるとＢＳが判定した場合に、１つ以上のＳＳバースト全体を送信しないことを選択してもよい。
【００６３】
別の可能性として、１つ以上のＳＳ送信パラメータを決定することは、ＢＳ１０２によって送信される各ＳＳブロックをビームフォーミングするか否か、及びどのようにビームフォーミングするかを決定することを含むことができる。ＢＳ１０２は、任意の所望の構成に従って、異なるＳＳブロックに対して同じビームをスケジュールすることができ、及び／又は異なるＳＳブロックに対して異なるビームをスケジュールすることができる。この構成は、ＢＳ１０２が動作している周波数帯域（例えば、その伝搬特性）、ＢＳ１０２によって現在サービスを受けている無線デバイスの数（例えば、どれほどＢＳに負荷がかかっているか）、ＢＳ１０２のネットワークオペレータの構成プリファレンス、ＢＳ１０２の近傍の物理的地形などの、様々な可能な考慮事項のうちの任意のものに依存し得る。
【００６４】
ＢＳ１０２によって選択されるそのような送信パラメータは、ＢＳ１０２によって提供される同期信号を検出することができる無線デバイス（例えば、ＵＥ１０６を含む）に対して透明であってもよいことに留意されたい。換言すれば、少なくともいくつかの実施形態によれば、無線デバイスに、どの公称ＳＳブロックが実際に送信されている若しくは送信されていないかを示す、又はＢＳ１０２によってどのようにＳＳブロックがビームフォーミングされるかを示す必要はなくてもよい。
【００６５】
５０４において、ＢＳ１０２は、同期信号を送信することができる。同期信号は、所定の送信パラメータ及びＢＳ１０２によって選択された送信パラメータに従って送信することができる。したがって、同期信号は、周期的パターンに従って送信されてもよく、それにより、各期間（例えば、各ＳＳバーストセット）内で、１つ以上のＳＳブロックをそれぞれ含む１つ以上のＳＳバーストが送信される。いくつかの実施形態によれば、各ＳＳバースト内のＳＳブロックの少なくとも一部分は、コンテンツが同一であってもよく、例えば、それにより、それらは、組み合わせゲインのためにコヒーレントに組み合わされて、ＳＳブロックの正常な検出及び復号の可能性を改善することができる。各ＳＳブロックは、ＳＳブロックが含まれる公称ＳＳバーストの（例えば、ＰＢＣＨ内の）明示的指示を含んでもよい。各ＳＳバースト内のＳＳブロックはコンテンツが同一であってもよいため、ＢＳは全ての公称ＳＳブロックを送信しないように選択することができるため、及び／又は無線デバイスは必ずしもあらゆるＳＳブロックを検出することができなくてもよいため（例えば、異なるビーム方向に起因して、又は様々な他の理由の任意のもののために）、暗黙的シグナリング技術を使用して、ＳＳバースト内の各ＳＳブロックの相対位置を示すことができる。例えば、循環シフトの所定のパターンを各ＳＳバーストに使用してもよく、それにより、ＳＳバースト内の異なる各ＳＳブロックのＰＢＣＨは、異なる数の循環シフトによってシフトされる。別の可能性として、スクランブルコードの所定のパターン（又は、より長いスクランブルコードの一部分）を各ＳＳバーストに使用することができ、それにより、ＳＳバースト内の異なる各ＳＳブロックのＰＢＣＨは、異なるスクランブルコードを使用してスクランブルされる。そのような場合、無線デバイスは、循環シフト又はスクランブルコードの所定のパターンに従って、様々な可能な相対位置仮説（例えば、各ＳＳバースト内の公称ＳＳブロックの数に等しい数の仮説）を試験することによって、ＳＳバースト内の検出されたＳＳブロックの相対位置を判定することができ得る。
【００６６】
５０６において、ＵＥ１０６は、ＢＳ１０２によって送信されたＳＳブロックを検出することができる。いくつかの実施形態によれば、ＳＳブロックのＰＳＳ及び／又はＳＳＳ部分は、例えば、それらの部分に使用されるシーケンスの周期的特性及び／又は相関特性に基づいて、ＵＥ１０６によって検出されてもよい。いくつかの実施形態によれば、ＳＳは、システム帯域幅の特定の中央部分などのＢＳ１０２によって使用されるシステム帯域幅の特定の部分上で、ＢＳ１０２によって送信して、ＵＥ１０６によって受信することができる。
【００６７】
５０８において、ＵＥ１０６は、検出されたＳＳのＳＳブロックインデックスを判定することができる。ＳＳブロックインデックスは、どの公称ＳＳブロックがＵＥ１０６によって検出されたかを特定することができ、したがって、前述のように、所与のＳＳバーストセット内の各公称ＳＳブロックの位置／タイミングは予め決定することができるため、ＳＳバーストセット内の検出されたＳＳブロックの位置／タイミングを特定することができる。
【００６８】
いくつかの実施形態によれば、ＳＳブロックインデックスを判定することは、マルチパートプロセスであってもよい。１つのパートは、そのＳＳバースト内の検出されたＳＳブロックの相対位置／タイミングを判定することを含んでもよい。これは、例えば、各ＳＳバースト内のＳＳブロックの相対位置／タイミングを示すために使用される暗黙的シグナリング方式に基づいて、複数の仮説を試験して、どの仮説（したがって相対位置）が真であるかを判定することを含んでもよい。例えば、循環シフトに基づく暗黙的シグナリング方式が使用される場合、ＵＥ１０６は、循環シフトの可能な数のそれぞれを使用して、検出されたＳＳブロックのＰＢＣＨ部分を復号することを試みることができ、循環シフトのどの数がＰＢＣＨの正常な復号をもたらすかに基づいて、検出されたＳＳブロックの相対位置を判定することができる。同様に、スクランブルコードに基づく暗黙的シグナリング方式が使用される場合、ＵＥ１０６は、各可能なデスクランブルコードを使用して、検出されたＳＳブロックのＰＢＣＨ部分を復号することを試みることができ、どのデスクランブルコードがＰＢＣＨの正常な復号をもたらすかに基づいて、検出されたＳＳブロックの相対位置を判定することができる。所望であれば（例えば、各ＳＳバースト内に同一のコンテンツを有する複数のＳＳブロックが存在する場合）、ＵＥ１０６は、例えば、復号仮説に従ってそれぞれの対応するＰＢＣＨ部分に対して適切な対応する循環シフト／スクランブルコードなどを使用して、復号仮説を試験する際に、複数のＳＳブロックのＰＢＣＨ部分を組み合わせることができることに留意されたい。いくつかの実施形態によれば、復号化試行の回数は、例えば、ＳＳバースト内のＳＳブロックのそれぞれの可能な相対位置に対して１つの仮説を試験することができるように、各ＳＳバースト内のＳＳブロックの数に等しくてもよい。
【００６９】
別のパートは、ＳＳブロックのＳＳバーストインデックスを判定することを含むことができる。少なくともいくつかの実施形態によれば、ＳＳバーストインデックスは、所与のＳＳバースト内のすべてのＳＳブロックに対して、ＰＢＣＨ内に明示的に示されてもよい（例えば、所与のＳＳバースト内の各ＳＳブロックが同一のコンテンツを有することができるため）。したがって、ＰＢＣＨが正常に復号されると、ＵＥ１０６は、ＳＳブロックのＳＳバーストインデックスを判定することができ得る。したがって、ＳＳバーストインデックスとＳＳバースト内の検出されたＳＳブロックの相対位置との組み合わせにより、ＳＳバーストセット内の検出されたＳＳブロックの位置／タイミングを一意に特定することができる、検出されたＳＳブロックのＳＳブロックインデックスを効果的に提供することができる。
【００７０】
５１０において、ＵＥ１０６は、検出されたＳＳブロックのＳＳブロックインデックスの指示をＢＳ１０２に提供してもよい。前述したように、これにより、例えば、異なるビーム構成を使用して異なるＳＳブロックが送信される場合、ＵＥ１０６が検出して正常に復号することができたビーム構成に関して、ＢＳ１０２に情報を与えることができ、かつ／又は別の方法でＢＳ１０２によって選択されたＳＳ送信特性に基づいて有用な情報をＢＳ１０２に提供することができる。例えば、いくつかの実施形態によれば、ＢＳ１０２は、ＵＥ１０６によって検出されたＳＳブロックのＳＳブロックインデックスの指示に少なくとも部分的に基づいて、ＵＥ１０６への１つ以上の後続の送信のためのビーム構成を選択することができる。
【００７１】
したがって、基地局によって送信されたＳＳブロックのＳＳブロックインデックスを示すためのマルチパートシグナリング方式を提供することが可能であり得る。少なくともいくつかの実施形態によれば、そのような方式は、異なるレベルの復号複雑性対潜在的組み合わせゲインを柔軟に可能にすることができる。例えば、より多数のＳＳブロックが各ＳＳバーストに含まれる場合、これは、復号時に潜在的組み合わせゲインを増加させることができるが、復号複雑性が増大する犠牲を払う（例えば、より多数の仮説を試験する必要があることがあるため）。対照的に、より少数のＳＳブロックが各ＳＳバーストに含まれる場合、これは、復号時に潜在的組み合わせゲインを制限することがあるが、また復号複雑性を低減することもできる（例えば、より少数の仮説を試験する必要があることがあるため）。更に、多くの場合では、各バーストセットは、複数のＳＳバーストを含んでもよく、各ＳＳバーストは、複数のＳＳブロックを含んでもよく、ＳＳバーストセット当たりに１つのＳＳバーストのみが使用される、又は各ＳＳバーストが１つのＳＳブロックのみを含む特別な場合もまた可能であり得る。例えば、各バーストセットが、ＳＳバーストセットのＳＳブロックの全てを含むことができる、１つの公称ＳＳバーストを含む構成を選択することができる。別の可能性として、各バーストセットが複数の公称ＳＳバーストを含むが、各公称ＳＳバーストが単一の公称ＳＳブロックを含む構成を選択することができる。
図６〜図１０−例示的な同期信号ブロックの編成及び構成
【００７２】
図６〜図１０及び以下の情報は、図５の方法に関する更なる考察及び可能な実装形態の詳細を例示するものとして提供され、本開示全体を限定することを意図していない。以下の本明細書で提供される詳細に対して多数の変形形態及び代替形態が、可能であり、本開示の範囲内と考えられるべきである。
【００７３】
図６は、いくつかの実施形態による、２つの例示的な可能な同期信号ブロック編成方式を示す。図示のように、例示した構成のそれぞれは、ＳＳバーストセットとして編成され、ＳＳバーストセットは、いくつかのＳＳバーストを含み、ＳＳバーストのそれぞれは、次いで、いくつかのＳＳブロックを含む。各ＳＳブロックは、一次同期信号、二次同期信号、及び物理ブロードキャストチャネルを含むことができる。第１の例示した構成６１０では、ＳＳブロックは、ＳＳバースト境界にわたって連続している（例えば、時間的に連続している）一方で、第２の例示した構成６２０では、ＳＳブロックは、ＳＳバースト境界にわたって連続していない（例えば、時間的に連続していない）。例示した構成のいずれかを使用することが可能であり得るが、様々な追加の可能性の中でも、少なくともいくつかの実施形態によれば、例えば、そのＳＳブロックインデックスに基づいて所与のＳＳブロックのバーストセット内の位置を一意に特定する無線デバイスの能力をサポートするために、選択された構成を予め決定する（例えば、標準文書内で規定される、又は別の方法で事前に合意される）ことが有益であり得ることに留意されたい。
【００７４】
各ＳＳブロックの様々な部分を、様々な同期目的のために使用することができる。いくつかの実施形態によれば、ＰＳＳは、シンボルレベルのタイミングを提供し、ＳＳブロックの境界を示すことができる。ＳＳＳは、セルのセルＩＤを示すことができる。ＰＢＣＨは、ＳＳバースト及び／又はブロックインデックス、無線フレームレベルタイミング、システム帯域幅、並びにシステムフレーム番号を提供することができる。各ＳＳバーストセットは、固定された周期性値（例えば、１つの可能性として２０ｍｓ）を有してもよく、これは、セルによって使用される無線フレーム長に対応する、又は別の方法で相関することができ、これにより、ＳＳブロックのＰＢＣＨ部分を使用してＳＳブロックを受信する無線デバイスによる無線フレームレベルタイミングの判定を容易にすることができることに留意されたい。
【００７５】
図６に例示した例示的方式は、少なくとも３つの公称ＳＳバーストが各ＳＳバーストセットに含まれ、３つの公称ＳＳブロックが各ＳＳバーストに含まれる構成を示しているが、これは例示目的のためだけのものであり、様々な数のうちの任意のものが、更に又は代わりにそのような各パラメータに対して可能であることに留意されたい。一般化として、各ＳＳバーストセットが、Ｍ個のＳＳバーストを含み、式中、１＜＝Ｍ＜＝Ｎであり、各ＳＳバーストがＫ個のＳＳブロックを含み、式中、１＜＝Ｋ＜＝Ｎであり、ＳＳバーストセット当たりのＳＳブロックの総数は、Ｎ＝Ｋ＊Ｍである場合があり得る。Ｋの値は、帯域依存であり得るが、予め決定する（例えば、標準によって規定される）ことができる場合があり得る。Ｍ及びＮの値は、予め決定されてもよい、又は予め決定されなくてもよい（例えば、ネットワークによって（例えば、基地局によって）構成されてもよく、及び／又は標準によって規定されてもよい）。
【００７６】
例示した各構成では、より一般的には所望であれば、ＳＳバーストセットの開始に対する各ＳＳブロックのタイミングオフセットは、予め決定することができることに留意されたい。例えば、ＳＳバーストセットに対する各ＳＳバーストのタイミングオフセットは、予め決定することができ、ＳＳバースト内の各ＳＳブロックのタイミングオフセットは、予め決定することができる。
【００７７】
図７は、いくつかの実施形態による、送信するための、同期信号ブロックの例示的な可能なネットワークの選択されたセットを示す。少なくともいくつかのセルラ通信技術（例えば、ＮＲ）は、例えば、アップリンク機会の前に複数のダウンリンクスロットを集約することができ、ミニスロットが可能であり得、同じサブフレーム内のアップリンク及びダウンリンクの両方のためにシンボルを提供することができるなどの、柔軟なスロット構造をサポートすることができる。加えて、データ通信のためのスロット構造及び数値学は、少なくとも場合によっては、ＳＳの数値学とは異なる場合がある。
【００７８】
いくつかの実施形態によれば、基地局は全ての公称ＳＳブロックが送信されるように選択しなくてもよいことが可能であり得る。これにより、例えば、柔軟なスロット構造を維持する、様々な理由の任意のもののために、基地局がＳＳブロック（及び／又はＳＳバースト全体）を送信することを選択的に回避することを可能にすることができる。
【００７９】
例示した方式では、ＳＳブロックがＳＳバースト境界にわたって連続している構成が使用される。それぞれの図示したスロットがダウンリンク部分（例えば、ダウンリンク部分７１０）とアップリンク部分（例えば、アップリンク部分７２０）とを含むスロット構造を使用することもできる。図示のように、公称ＳＳブロックの特定のもの（例えば、ＳＳＢ３、６、及び１０）は、アップリンク部分と重なり合ってもよい。この実施例では、基地局は、例えば、アップリンク時機を回避するために、これらの公称ＳＳブロックの間に同期信号を送信しないことを選択してもよい。
【００８０】
ＳＳブロックのそのような選択的送信は、基地局によってサービスを受ける無線デバイスに対して透明であってもよい。場合によっては、１つ以上の他の構成パラメータは、更に又は代わりに、基地局によってサービスを受ける無線デバイスに対して透明な方式で基地局によって選択されてもよい。例えば、基地局は、例えば、カバレッジ拡張のために、又は受信機ビーム掃引を可能にするために、異なるＳＳブロックに対して同じビームをスケジュールすることができ、又は、所望に応じて、異なるＳＳブロックに対して異なるビーム構成をスケジュールしてもよい。
【００８１】
図８は、いくつかの実施形態による、スクランブルコードを使用する、例示的な可能な同期信号ブロックインデックスシグナリング方式を示す。図示のように、この方式は、ＳＳブロックがＳＳバースト境界にわたって連続しているＳＳバーストセット、及び／又はＳＳブロックがＳＳバースト境界にわたって連続していないＳＳバーストセットのために使用されてもよい。場合によっては、例示したように、各ＳＳバースト内のＳＳブロックは、時間的に連続していてもよい。あるいは、図８には示されていないが、各ＳＳバースト内のＳＳブロックの一部又は全てが時間的に連続していないことも可能であり得る。
【００８２】
ＳＳブロックインデックスシグナリング方式は、複数のレベルのシグナリングを含んでもよい。１つのシグナリングレベルは、ＳＳブロックのＳＳバーストインデックスの指示を含むことができる。これは、ＳＳブロックのＰＢＣＨに含まれる情報ビットを用いて示されてもよい。前述したように、ＳＳバースト内の最大Ｋ個のＳＳブロックのコヒーレントな組み合わせが可能であり得るように、ＰＢＣＨコンテンツがＳＳバースト内のＳＳブロックに対して同じであってもよい場合があり得る。
【００８３】
第２のシグナリングレベルは、ＳＳバースト内のＳＳブロックの位置の指示を含んでもよく、これは、例示した方式ではＰＢＣＨスクランブルコードを使用して提供されてもよい。この場合、ＳＳバースト内のＫ個のＳＳブロックのそれぞれが異なるスクランブルコードを用いてスクランブルされるように、セル当たりＫ個の異なるスクランブルコードを使用することができる。したがって、スクランブルコードＳｃｒ０を用いてＳＳバースト０のＳＳＢ０をスクランブルすることができ、スクランブルコードＳｃｒ１を用いてＳＳバースト０のＳＳＢ１をスクランブルすることができ、スクランブルコードＳｃｒ２を用いてＳＳバースト０のＳＳＢ２をスクランブルすることができる。所望であれば、同じスクランブルコードを異なるＳＳバーストに対して再使用することができ、例えば、それにより、例示したように、スクランブルコードＳｃｒ０を用いてＳＳバースト１のＳＳＢ３をスクランブルすることができ、スクランブルコードＳｃｒ１を用いてＳＳバースト１のＳＳＢ４をスクランブルすることができ、スクランブルコードＳｃｒ２を用いてＳＳバースト１のＳＳＢ５をスクランブルすることができる、などとなる。
【００８４】
スクランブルコードは、様々な可能性の中でも、異なる擬似ノイズ（pseudo noise、ＰＮ）系列、又は長いＰＮ系列の異なるシフト（セグメント）であってもよいことに留意されたい。ＰＮ系列は、Ｍ系列、Ｇｏｌｄ系列、Ｋａｓａｍｉ系列などの、既存の系列のクラス（例えば、良好な相関特性を有する）から選択することができる。
【００８５】
図９は、いくつかの実施形態による、循環シフトを使用する、例示的な可能な同期信号ブロックインデックスシグナリング方式を示す。図８の方式と同様に、この方式は、ＳＳブロックがＳＳバースト境界にわたって連続しているＳＳバーストセット、及び／又はＳＳブロックがＳＳバースト境界にわたって連続していないＳＳバーストセットのために使用されてもよい。場合によっては、例示したように、各ＳＳバースト内のＳＳブロックは、時間的に連続していてもよい。あるいは、図９には示されていないが、各ＳＳバースト内のＳＳブロックの一部又は全てが時間的に連続していないことも可能であり得る。
【００８６】
また、図８の方式と同様に、ＳＳブロックインデックスシグナリング方式は、複数のレベルのシグナリングを含むことができる。１つのシグナリングレベルは、ＳＳブロックのＳＳバーストインデックスの指示を含むことができる。これは、ＳＳブロックのＰＢＣＨに含まれる情報ビットを用いて示されてもよい。前述したように、ＳＳバースト内の最大Ｋ個のＳＳブロックのコヒーレントな組み合わせが可能であり得るように、ＰＢＣＨコンテンツがＳＳバースト内のＳＳブロックに対して同じであってもよい場合があり得る。
【００８７】
第２のシグナリングレベルは、ＳＳバースト内のＳＳブロックの位置の指示を含んでもよく、これは、例示した方式では循環シフトを使用して提供されてもよい。この場合、セル当たりＫ個の異なる循環シフトを使用することができ、それにより、ＳＳバースト内のＫ個のＳＳブロックのそれぞれが、異なる数の循環シフトを使用してシフトされる。したがって、ＳＳバースト０のＳＳＢ０は、０だけシフトされてもよく（シフトされなくてもよい）、ＳＳバースト０のＳＳＢ１は、Ｌだけシフトされてもよく、ＳＳバースト０のＳＳＢ２は、２Ｌだけシフトされてもよい。所望であれば、循環シフトパターンを異なるＳＳバーストに対して再使用することができ、例えば、それにより、例示したように、ＳＳバースト１のＳＳＢ３は、０だけシフトされてもよく、ＳＳバースト１のＳＳＢ４は、Ｌだけシフトされてもよく、ＳＳバースト１のＳＳＢ５は、２Ｌだけシフトされてもよい、などどなる。
【００８８】
図１０は、いくつかの実施形態による、前の同期信号ブロック及び後続の同期信号ブロックと共に、無線デバイスによって検出された例示的な可能な同期信号ブロックを示す。図示の例示的シナリオでは、各同期信号ブロックは、時間的に連続する様式で、ＰＳＳ部分、続いてＳＳＳ部分、及びＰＢＣＨ部分を含むことができる。しかしながら、そのような構成は、非限定的な実施例として提供され、任意の数の他の同期信号ブロック構成（例えば、異なる部分が含まれ、その部分が異なる順序で配置され、１つ以上の時間的ギャップが部分間に挿入される、など）も可能であることに留意されたい。
【００８９】
一例として、無線デバイスは、Ｋ＝３を有するシステムにおいてｙ０として示されるＰＢＣＨを含むＳＳブロックを検出していてもよいと考える。この場合、無線デバイスは、ＰＢＣＨを正常に復号するためにＫ回のＰＢＣＨ復号化試行を実行してもよい。復号化試行は、そのＳＳバースト内の検出されたＳＳブロックに対する可能な相対位置決め仮説に対応することができる。この実施例ではＫ＝３であるため、可能性としては、ｙ０が、ｙ１及びｙ２も含むＳＳバースト内の第１のＳＳブロックであること、ｙ０が、ｙ−１及びｙ１も含むＳＳバースト内の第２のＳＳブロックであること、又はｙ０が、ｙ−２及びｙ−１も含むＳＳバースト内の第３のＳＳブロックであることが挙げられる。
【００９０】
スクランブルコードが使用されるシナリオでは、スクランブルコードは、ｓ０、ｓ１、及びｓ２として示されてもよい。したがって、受信機が、以下の式を使用して、同じＳＳバースト内の他のＳＳブロックからの組み合わせゲインを得ることを含めて、検出されたＰＳＳ／ＳＳＳブロックに対応するＳＳブロックインデックスに対して３つの仮説を試験することが可能であり得る。
【数１】
2020519103.tif 000003
式中、「・」演算子は、２つのベクトル間の要素ごとの乗算を示す。
【００９１】
循環シフトが使用されるシナリオでは、Ｌ個の要素によるベクトルｙの循環シフトは、ｙ（Ｌ）で示すことができる。そのようなシナリオでは、受信機が、以下の式を使用して、同じＳＳバースト内の他のＳＳブロックからの組み合わせゲインを得ることを含めて、検出されたＰＳＳ／ＳＳＳブロックに対応するＳＳブロックインデックスに対して３つの仮説を試験することが可能であり得る。
【数２】
2020519103.tif 000004
【００９２】
ＳＳバースト当たりＫ個のＳＳブロックを有する一般的な場合には、受信機は、Ｋ回のＰＢＣＨ復号化試行を行ってもよい。したがって、（Ｋ，Ｍ）の異なる値は、以下の特別な場合を含む、複雑性と組み合わせゲインとの異なるトレードオフをもたらし得る。Ｋ＝１、Ｍ＝Ｎは、ＳＳブロックインデックスを判定するために必要な全ての情報がＰＢＣＨ情報ビット内に含まれる特別な場合であり得、それにより、複数のＰＢＣＨ仮説を試験する必要がない場合がある。Ｋ＝Ｎ、Ｍ＝１は、ＳＳバーストセット内の全てのＳＳブロックのＰＢＣＨが同一のコンテンツを有するが、（例えば、スクランブルコード又は循環シフトによって）暗黙的に区別される特別な場合であり得、それにより、ＰＢＣＨ仮説試験の最大数が必要となる場合があるが、最大の組み合わせゲインを得ることができる。
【００９３】
前述したように、基地局によるＳＳブロックへのビーム方向マッピングは、基地局によってサービスを受ける無線デバイスに対して透明であってもよい。これにより、基地局が、異なるビーム方向を使用して異なるＳＳブロックを送信すること（例えば、高速ＴＸビーム掃引のために）、及び／又は同じビーム方向を使用して異なるＳＳブロックを送信すること（例えば、より良好なカバレッジのため、又はＲＸビーム掃引を可能にするため）を決定することを可能にすることができる。それは、無線デバイスが、Ｋの値（例えば、これは、場合によっては帯域依存的に、仕様書で規定することができる）、及び潜在的に、バーストセット内の各公称ＳＳバーストのタイミングオフセット（例えば、ＳＳブロックがＳＳバースト境界にわたって連続していない場合）を知るのに十分であり得る。
【００９４】
また、図１０に示すＳＳブロックの例示的な時分割多重ＳＳブロックフォーマットは、例示目的のみのために提供され、他のＳＳブロックフォーマットもまた可能であることにも留意されたい。例えば、例示したフォーマットは、４つのシンボルを含み、その第１のシンボルは、ＰＳＳを含み、第２のシンボルは、ＳＳＳを含み、第３及び第４のシンボルは、ＰＢＣＨを含むが、様々な可能性の中でも、異なる数のシンボルが使用されてもよく、ＰＳＳ、ＳＳＳ、及びＰＢＣＨは、異なる順序で多重化されてもよく、かつ／又はＰＢＣＨは、連続シンボル（例えば、図に示すように）又は非連続シンボル（例えば、ＳＳブロック内の４つのシンボルがＰＢＣＨパート１、ＰＳＳ、ＳＳＳ、及びＰＢＣＨパート２を含むことができるように、ＰＳＳの前に１つ、ＳＳＳの後に１つ）を使用して提供されてもよい。
【００９５】
更なる例示的な実施形態が以下に提供される。
【００９６】
実施形態の１つのセットは、セルラ基地局によって、周期的パターンに従って、複数の同期信号（ＳＳ）ブロックであって、周期的パターンの各期間内で、１つ以上のＳＳブロックをそれぞれ含む１つ以上のＳＳバーストが送信され、各ＳＳブロックは、その期間内のその位置を特定するＳＳブロックインデックスを有する、複数の同期信号（ＳＳ）ブロックを送信することと、セルラ基地局の通信範囲内の１つ以上の無線デバイスのそれぞれに関して、無線デバイスによって検出されたＳＳブロックのＳＳブロックインデックスの指示を受信することと、を含む、方法を含むことができる。
【００９７】
実施形態の別のセットは、無線デバイスによって、セルラ基地局からの同期信号（ＳＳ）ブロックを検出することと、セルラ基地局によってＳＳが送信される周期的パターンの周期内のＳＳブロックの位置を特定するＳＳブロックのＳＳブロックインデックスを判定することと、無線デバイスによって検出されたＳＳブロックのＳＳブロックインデックスの指示をセルラ基地局に送信することと、を含む、方法を含むことができる。
【００９８】
いくつかの実施形態によれば、周期的パターンの各期間内で、１つ以上のＳＳブロックをそれぞれ含む１つ以上のＳＳバーストが送信され、ＳＳブロックのＳＳブロックインデックスを判定することは、検出されたＳＳブロックを含むＳＳバーストのＳＳバーストインデックスを判定することと、ＳＳバースト内の検出されたＳＳブロックの相対位置を判定することと、を含む。
【００９９】
いくつかの実施形態によれば、ＳＳバースト内の検出されたＳＳブロックの相対位置を判定することは、ＳＳバースト内のＳＳブロックの数に等しい数の復号化試行を実行して、各可能な相対位置仮説を試験することを含む。
【０１００】
いくつかの実施形態によれば、方法は、無線デバイスによって、検出されたＳＳブロックの物理ブロードキャストチャネル部分と、検出されたＳＳブロックと同じＳＳバースト内の少なくとも１つの追加のＳＳブロックの物理ブロードキャストチャネル部分とのコヒーレントな組み合わせを実行することを更に含む。
【０１０１】
いくつかの実施形態によれば、各ＳＳブロックのＳＳブロックインデックスは、２パートシグナリング構成を使用して示され、１つのパートは、ＳＳバースト内のＳＳブロックの相対位置を含み、別のパートは、各ＳＳバーストの１つ以上のＳＳブロックのそれぞれに明示的に示されるＳＳバーストインデックス値を含む。
【０１０２】
いくつかの実施形態によれば、ＳＳバースト内の各ＳＳブロックの相対位置は、ＳＳバーストのＳＳブロックのために構成された循環シフトの所定のパターンを使用して暗黙的にシグナリングされる。
【０１０３】
いくつかの実施形態によれば、ＳＳバースト内の各ＳＳブロックの相対位置は、ＳＳバーストのＳＳブロックのために構成されたスクランブルコードの所定のパターンを使用して暗黙的にシグナリングされる。
【０１０４】
いくつかの実施形態によれば、周期的パターンの各期間内で、複数のＳＳブロックをそれぞれ含む複数のＳＳバーストが送信され、各ＳＳブロックは、一次同期信号部分、二次同期信号部分、及び物理ブロードキャストチャネル部分を含み、ＳＳバースト内の各ＳＳブロックは、少なくとも物理ブロードキャストチャネル部分内に同一のコンテンツを有する。
【０１０５】
別の例示的な実施形態は、アンテナと、アンテナに接続された無線機と、無線機に動作可能に接続された処理要素と、を備える無線デバイスを含むことができ、このデバイスは、前述の実施例の任意の又は全ての部分を実装するように構成されている。
【０１０６】
実施形態の更なる例示的なセットは、デバイスで実行された際に、デバイスに、前述の実施例のいずれかの任意の又は全ての部分を実装させるプログラム命令を含む、非一時的コンピュータアクセス可能記憶媒体を含むことができる。
【０１０７】
実施形態の更なる例示的なセットは、前述の実施例のいずれかの任意の又は全ての部分を実行する命令を含む、コンピュータプログラムを含むことができる。
【０１０８】
実施形態のまた別の例示的なセットは、前述の実施例のうちのいずれかの任意の又は全ての要素を実行する手段を備える、装置を含むことができる。
【０１０９】
本発明の実施形態は、様々な形態のいずれかで実現されてもよい。例えば、いくつかの実施形態では、本発明はコンピュータに実行される方法、コンピュータ可読記憶媒体、又はコンピュータシステムとして実現されてもよい。他の実施形態では、本発明は、ＡＳＩＣなどの、１つ以上のカスタム設計されたハードウェアデバイスを使用して実現することができる。他の実施形態では、本発明は、ＦＰＧＡなどの、１つ以上のプログラム可能なハードウェア要素を使用して実現することができる。
【０１１０】
いくつかの実施形態では、非一時的コンピュータ可読記憶媒体（例えば非一時的記憶要素）は、プログラム命令及び／又はデータを記憶し、プログラム命令は、コンピュータシステムによって実行されたときに、そのコンピュータシステムに方法を、例えば、本明細書で説明した方法実施形態のいずれか、又は本明細書で説明した方法実施形態の任意の組み合わせ、又は本明細書で説明した方法実施形態の、いずれかの任意のサブセット、又はそのようなサブセットの任意の組み合わせ、を実行させるように構成されていてもよい。
【０１１１】
いくつかの実施形態では、デバイス（例えばＵＥ）は、プロセッサ（又はプロセッサのセット）及び記憶媒体（又は記憶要素）を含むように構成されていてもよく、記憶媒体はプログラム命令を記憶し、プロセッサは、記憶媒体からプログラム命令を読み出して実行するように構成されており、プログラム命令は本明細書で説明した様々な方法実施形態のいずれか（若しくは本明細書で説明した方法実施形態の任意の組み合わせ、又は本明細書で説明した方法実施形態のいずれかの任意のサブセット、又はそのようなサブセットの任意の組み合わせ）を実装するために実行可能である。デバイスは、様々な形態のいずれかにおいて実現されてもよい。
【０１１２】
上記実施形態がかなり詳細に説明されてきたが、上記開示が完全に認識されると、多数の変形形態及び修正形態が当業者にとって明らかになる。以下の特許請求の範囲は、全てのそのような変形形態及び修正形態を包含すると解釈されることを意図している。
【図１】
2020519103.tif 000005
【図２】
2020519103.tif 000006
【図３】
2020519103.tif 000007
【図４】
2020519103.tif 000008
【図５】
2020519103.tif 000009
【図６】
2020519103.tif 000010
【図７】
2020519103.tif 000011
【図８】
2020519103.tif 000012
【図９】
2020519103.tif 000013
【図１０】
2020519103.tif 000014
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
無線デバイスに、
セルラ基地局からの同期信号（ＳＳ）ブロックを検出させ、
前記検出されたＳＳブロックを含むＳＳバーストであって、複数のＳＳブロックをそれぞれ含む１つ以上のＳＳバーストが周期的パターンの期間内に送信される、ＳＳバーストのＳＳインデックスを判定させ、
前記ＳＳバースト内の前記検出されたＳＳブロックの相対位置を判定させ、
同期信号が前記セルラ基地局によって送信される前記周期的パターンの前記期間内の前記ＳＳブロックの前記位置を特定する前記ＳＳブロックのＳＳブロックインデックスを判定させ、
前記無線デバイスによって検出された前記ＳＳブロックの前記ＳＳブロックインデックスの指示を前記セルラ基地局に送信させる、
ように構成された処理要素を備える、装置であって、
前記ＳＳバースト内の前記検出されたＳＳブロックの前記相対位置を判定するために、前記処理要素は、前記無線デバイスに、前記ＳＳバースト内のＳＳブロックの数に等しい数の復号化試行を実行させて、各可能な相対位置仮説を試験するように更に構成されている、装置。
【請求項２】
前記処理要素は、前記無線デバイスに、
前記検出されたＳＳブロックの物理ブロードキャストチャネル部分と、前記検出されたＳＳブロックと同じＳＳバースト内の少なくとも１つの追加のＳＳブロックの物理ブロードキャストチャネル部分とのコヒーレントな組み合わせを実行させる、
ように更に構成されている、請求項１に記載の装置。
【請求項３】
各ＳＳブロックの前記ＳＳブロックインデックスは、２パートシグナリング構成を使用して示され、１つのパートは、前記ＳＳバースト内の前記ＳＳブロックの前記相対位置を含み、別のパートは、各ＳＳバーストの前記１つ以上のＳＳブロックのそれぞれに明示的に示されるＳＳインデックス値を含む、請求項１に記載の装置。
【請求項４】
ＳＳバースト内の各ＳＳブロックの前記相対位置は、前記ＳＳバーストの前記ＳＳブロックのために構成された循環シフトの所定のパターンを使用して暗黙的にシグナリングされる、請求項３に記載の装置。
【請求項５】
ＳＳバースト内の各ＳＳブロックの前記相対位置は、前記ＳＳバーストの前記ＳＳブロックのために構成されたスクランブルコードの所定のパターンを使用して暗黙的にシグナリングされる、請求項３に記載の装置。
【請求項６】
ＳＳバースト内の異なる各ＳＳブロックの対応する物理ブロードキャストチャネル（ＰＢＣＨ）は、異なるスクランブルコードを使用してスクランブルされる、請求項１に記載の装置。
【請求項７】
アンテナと、
前記アンテナに動作可能に接続された無線機と、
前記無線機に動作可能に接続された処理要素と、
を備える無線デバイスであって、前記無線デバイスは、
セルラ基地局からの同期信号（ＳＳ）ブロックを検出し、
前記検出されたＳＳブロックを含むＳＳバーストであって、複数のＳＳブロックをそれぞれ含む１つ以上のＳＳバーストが周期的パターンの期間内に送信される、ＳＳバーストのＳＳバーストインデックスを判定し、
前記ＳＳバースト内の前記検出されたＳＳブロックの相対位置を判定し、
前記ＳＳバーストインデックス及び前記ＳＳバースト内の前記検出されたＳＳブロックの前記相対位置に少なくとも部分的に基づいて、前記検出されたＳＳブロックのＳＳブロックインデックスを判定し、
前記検出されたＳＳブロックの前記ＳＳブロックインデックスの指示を前記セルラ基地局に送信する、
ように構成されており、
前記ＳＳバースト内の前記検出されたＳＳブロックの前記相対位置を判定するために、前記処理要素は、前記無線デバイスに、前記ＳＳバースト内のＳＳブロックの数に等しい数の復号化試行を実行させて、各可能な相対位置仮説を試験するように更に構成されている、無線デバイス。
【請求項８】
ＳＳバースト内のＳＳブロックの前記相対位置が循環シフトを使用して暗黙的にシグナリングされ、前記ＳＳバースト内の前記検出されたＳＳブロックの前記相対位置を判定するために、前記無線デバイスは、
各復号化試行が異なる数の循環シフトを使用する複数の復号化試行を実行して、前記検出されたＳＳブロックに対する複数の相対位置仮説を試験し、
前記検出されたＳＳブロックの物理ブロードキャストチャネル部分を正常に復号するために使用される循環シフトの数を判定し、
前記検出されたＳＳブロックの前記物理ブロードキャストチャネル部分を正常に復号するために使用される循環シフトの前記数に少なくとも部分的に基づいて、前記ＳＳバースト内の前記検出されたＳＳブロックの前記相対位置を判定する、
ように更に構成されている、請求項７に記載の無線デバイス。
【請求項９】
ＳＳバースト内のＳＳブロックの前記相対位置がスクランブルコードを使用して暗黙的にシグナリングされ、前記ＳＳバースト内の前記検出されたＳＳブロックの前記相対位置を判定するために、前記無線デバイスは、
各復号化試行が異なるスクランブルコードを使用する、複数の復号化試行を実行して、前記検出されたＳＳブロックに対する複数の相対位置仮説を試験し、
前記検出されたＳＳブロックの物理ブロードキャストチャネル部分を正常に復号するために使用されるスクランブルコードを判定し、
前記検出されたＳＳブロックの前記物理ブロードキャストチャネル部分を正常に復号するために使用される前記スクランブルコードに少なくとも部分的に基づいて、前記ＳＳバースト内の前記検出されたＳＳブロックの前記相対位置を判定する、
ように更に構成されている、請求項７に記載の無線デバイス。
【請求項１０】
前記ＳＳが、周期的パターンに従って前記セルラ基地局によって送信され、
前記周期的パターンの各期間内で、複数のＳＳブロックをそれぞれ含む複数のＳＳバーストが送信され、各ＳＳブロックは、一次同期信号部分、二次同期信号部分、及び物理ブロードキャストチャネル部分を含み、ＳＳバースト内の各ＳＳブロックは、少なくとも前記物理ブロードキャストチャネル部分内に同一のコンテンツを有する、請求項７に記載の無線デバイス。
【請求項１１】
前記無線デバイスは、
前記検出されたＳＳブロックの前記ＳＳブロックインデックスに少なくとも部分的に基づいて、前記セルラ基地局によって提供されるセルの無線フレームレベルタイミングを判定するように更に構成されている、請求項７に記載の無線デバイス。
【請求項１２】
アンテナと、
前記アンテナに動作可能に接続された無線機と、
前記無線機に動作可能に接続された処理要素と、
を備えるセルラ基地局であって、
前記セルラ基地局は、
周期的パターンに従って、複数の同期信号（ＳＳ）ブロックであって、前記周期的パターンの各期間内で、複数の前記ＳＳブロックをそれぞれ含む１つ以上のＳＳバーストが送信され、各ＳＳブロックが、前記期間内の各ＳＳブロックの位置を特定するＳＳブロックインデックスを有する、複数の同期信号（ＳＳ）ブロックを送信し、
前記セルラ基地局の通信範囲内の１つ以上の無線デバイスのそれぞれに関して、無線デバイスによって検出されたＳＳブロックのＳＳブロックインデックスの指示を受信する、
ように構成されている、セルラ基地局。
【請求項１３】
前記セルラ基地局は、
２パートシグナリング構成を使用して、各ＳＳブロックの前記ＳＳブロックインデックスを示す、
ように更に構成されており、１つのパートは、ＳＳバースト内の前記ＳＳブロックの相対位置を含み、別のパートは、各ＳＳバーストの前記１つ以上のＳＳブロックのそれぞれに明示的に示されるＳＳインデックス値を含む、請求項１２に記載のセルラ基地局。
【請求項１４】
前記セルラ基地局は、
ＳＳバースト内の各ＳＳブロックの前記相対位置を、前記ＳＳバーストの前記ＳＳブロックのために構成された循環シフトの所定のパターンを使用して暗黙的にシグナリングする、
ように更に構成されている、請求項１３に記載のセルラ基地局。
【請求項１５】
前記セルラ基地局は、
ＳＳバースト内の各ＳＳブロックの前記相対位置を、前記ＳＳバーストの前記ＳＳブロックのために構成されたスクランブルコードの所定のパターンを使用して暗黙的にシグナリングする、
ように更に構成されている、請求項１３に記載のセルラ基地局。
【請求項１６】
前記セルラ基地局は、
前記周期的パターンの各期間内で、複数のＳＳブロックをそれぞれ含む複数のＳＳバーストを送信するように更に構成されており、各ＳＳブロックは、一次同期信号部分、二次同期信号部分、及び物理ブロードキャストチャネル部分を含み、ＳＳバースト内の各ＳＳブロックは、少なくとも前記物理ブロードキャストチャネル部分内に同一のコンテンツを有する、請求項１２に記載のセルラ基地局。
【請求項１７】
前記セルラ基地局は、
前記無線デバイスによって検出された前記ＳＳブロックの前記ＳＳブロックインデックスの前記指示に少なくとも部分的に基づいて、前記無線デバイスへの１つ以上の後続の送信のためのビーム構成を選択するように更に構成されている、請求項１２に記載のセルラ基地局。
【請求項１８】
各ＳＳバーストは、１つ以上の公称ＳＳブロックを含み、前記周期的パターンの各期間内で、前記公称ＳＳブロックを含むＳＳバーストの開始に対する各公称ＳＳブロックのタイミングオフセットが固定され、前記セルラ基地局は、
ＳＳバーストの１つ以上の公称ＳＳブロックを送信しないことを決定する、
ように更に構成されている、請求項１２に記載のセルラ基地局。
【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
無線デバイスに、
セルラ基地局からの同期信号（ＳＳ）ブロックを検出することと、
前記検出されたＳＳブロックを含むＳＳバーストのＳＳインデックスを判定することであって、それぞれが複数のＳＳブロックを含む１つ以上のＳＳバーストが周期的パターンの期間内に送信される、ことと、
前記ＳＳバースト内の前記検出されたＳＳブロックの相対位置を判定することであって、前記ＳＳバースト内の前記検出されたＳＳブロックの前記相対位置を判定することは、前記ＳＳバースト内のＳＳブロックの数に等しい数の復号化試行を実行して、各可能な相対位置仮説を試験することを含む、ことと、
同期信号が前記セルラ基地局によって送信される前記周期的パターンの前記期間内の前記ＳＳブロックの位置を特定する、前記ＳＳブロックのＳＳブロックインデックスを判定することと、
前記無線デバイスによって検出された前記ＳＳブロックの前記ＳＳブロックインデックスのインジケーションを前記セルラ基地局に送信することと、
を行わせるように構成された処理要素を備える、装置。
【請求項２】
前記処理要素は、前記無線デバイスに、
前記検出されたＳＳブロックの物理ブロードキャストチャネル部分と、前記検出されたＳＳブロックと同じＳＳバースト内の少なくとも１つの追加のＳＳブロックの物理ブロードキャストチャネル部分とのコヒーレントな組み合わせを実行させる、
ように更に構成されている、請求項１に記載の装置。
【請求項３】
各ＳＳブロックの前記ＳＳブロックインデックスは、２パートシグナリング構成を使用して示され、１つのパートは、前記ＳＳバースト内の前記ＳＳブロックの前記相対位置を含み、別のパートは、各ＳＳバーストの前記１つ以上のＳＳブロックのそれぞれに明示的に示されるＳＳインデックス値を含む、請求項１に記載の装置。
【請求項４】
ＳＳバースト内の各ＳＳブロックの前記相対位置は、前記ＳＳバーストの前記ＳＳブロックのために構成された循環シフトの所定のパターンを使用して暗黙的にシグナリングされる、請求項３に記載の装置。
【請求項５】
ＳＳバースト内の各ＳＳブロックの前記相対位置は、前記ＳＳバーストの前記ＳＳブロックのために構成されたスクランブルコードの所定のパターンを使用して暗黙的にシグナリングされる、請求項３に記載の装置。
【請求項６】
ＳＳバースト内の異なる各ＳＳブロックの対応する物理ブロードキャストチャネル（ＰＢＣＨ）は、異なるスクランブルコードを使用してスクランブルされる、請求項１に記載の装置。
【請求項７】
アンテナと、
前記アンテナに動作可能に接続された無線機と、
前記無線機に動作可能に接続された処理要素と、
を備える無線デバイスであって、
前記無線デバイスは、
セルラ基地局からの同期信号（ＳＳ）ブロックを検出することと、
前記検出されたＳＳブロックを含むＳＳバーストのＳＳバーストインデックスを判定することであって、それぞれが複数のＳＳブロックを含む１つ以上のＳＳバーストが周期的パターンの期間内に送信される、ことと、
前記ＳＳバースト内の前記検出されたＳＳブロックの相対位置を判定することであって、前記ＳＳバースト内の前記検出されたＳＳブロックの前記相対位置を判定することは、前記ＳＳバースト内のＳＳブロックの数に等しい数の復号化試行を実行して、各可能な相対位置仮説を試験することを含む、ことと、
前記ＳＳバーストインデックス及び前記ＳＳバースト内の前記検出されたＳＳブロックの前記相対位置に少なくとも部分的に基づいて、前記検出されたＳＳブロックのＳＳブロックインデックスを判定することと、
前記検出されたＳＳブロックの前記ＳＳブロックインデックスのインジケーションを前記セルラ基地局に送信することと、
を行うように構成されている、無線デバイス。
【請求項８】
ＳＳバースト内のＳＳブロックの前記相対位置が循環シフトを使用して暗黙的にシグナリングされ、前記ＳＳバースト内の前記検出されたＳＳブロックの前記相対位置を判定するために、前記無線デバイスは、
各復号化試行が異なる数の循環シフトを使用する複数の復号化試行を実行して、前記検出されたＳＳブロックに対する複数の相対位置仮説を試験することと、
前記検出されたＳＳブロックの物理ブロードキャストチャネル部分を正常に復号するために使用される循環シフトの数を判定することと、
前記検出されたＳＳブロックの前記物理ブロードキャストチャネル部分を正常に復号するために使用される循環シフトの前記数に少なくとも部分的に基づいて、前記ＳＳバースト内の前記検出されたＳＳブロックの前記相対位置を判定することと、
を行うように更に構成されている、請求項７に記載の無線デバイス。
【請求項９】
ＳＳバースト内のＳＳブロックの前記相対位置がスクランブルコードを使用して暗黙的にシグナリングされ、前記ＳＳバースト内の前記検出されたＳＳブロックの前記相対位置を判定するために、前記無線デバイスは、
各復号化試行が異なるスクランブルコードを使用する、複数の復号化試行を実行して、前記検出されたＳＳブロックに対する複数の相対位置仮説を試験することと、
前記検出されたＳＳブロックの物理ブロードキャストチャネル部分を正常に復号するために使用されるスクランブルコードを判定することと、
前記検出されたＳＳブロックの前記物理ブロードキャストチャネル部分を正常に復号するために使用される前記スクランブルコードに少なくとも部分的に基づいて、前記ＳＳバースト内の前記検出されたＳＳブロックの前記相対位置を判定することと、
を行うように更に構成されている、請求項７に記載の無線デバイス。
【請求項１０】
前記ＳＳが、周期的パターンに従って前記セルラ基地局によって送信され、
前記周期的パターンの各期間内で、複数のＳＳブロックをそれぞれ含む複数のＳＳバーストが送信され、各ＳＳブロックは、一次同期信号部分、二次同期信号部分、及び物理ブロードキャストチャネル部分を含み、ＳＳバースト内の各ＳＳブロックは、少なくとも前記物理ブロードキャストチャネル部分内に同一のコンテンツを有する、請求項７に記載の無線デバイス。
【請求項１１】
前記無線デバイスは、
前記検出されたＳＳブロックの前記ＳＳブロックインデックスに少なくとも部分的に基づいて、前記セルラ基地局によって提供されるセルの無線フレームレベルタイミングを判定するように更に構成されている、請求項７に記載の無線デバイス。
【請求項１２】
アンテナと、
前記アンテナに動作可能に接続された無線機と、
前記無線機に動作可能に接続された処理要素と、
を備えるセルラ基地局であって、
前記セルラ基地局は、
周期的パターンに従って複数の同期信号（ＳＳ）ブロックを送信することであって、前記周期的パターンの各期間内で、それぞれが複数の前記ＳＳブロックを含む１つ以上のＳＳバーストが送信され、各ＳＳブロックが、前記期間内の自身の位置を特定するＳＳブロックインデックスを有する、ことと、
前記セルラ基地局の通信範囲内の１つ以上の無線デバイスのそれぞれに関して、無線デバイスによって検出されたＳＳブロックのＳＳブロックインデックスのインジケーションを受信することと、
を行うように構成されている、セルラ基地局。
【請求項１３】
前記セルラ基地局は、
２パートシグナリング構成を使用して、各ＳＳブロックの前記ＳＳブロックインデックスを示す、
ように更に構成されており、１つのパートは、ＳＳバースト内の前記ＳＳブロックの相対位置を含み、別のパートは、各ＳＳバーストの前記１つ以上のＳＳブロックのそれぞれに明示的に示されるＳＳインデックス値を含む、請求項１２に記載のセルラ基地局。
【請求項１４】
前記セルラ基地局は、
ＳＳバースト内の各ＳＳブロックの前記相対位置を、前記ＳＳバーストの前記ＳＳブロックのために構成された循環シフトの所定のパターンを使用して暗黙的にシグナリングする、
ように更に構成されている、請求項１３に記載のセルラ基地局。
【請求項１５】
前記セルラ基地局は、
ＳＳバースト内の各ＳＳブロックの前記相対位置を、前記ＳＳバーストの前記ＳＳブロックのために構成されたスクランブルコードの所定のパターンを使用して暗黙的にシグナリングする、
ように更に構成されている、請求項１３に記載のセルラ基地局。
【請求項１６】
前記セルラ基地局は、
前記周期的パターンの各期間内で、複数のＳＳブロックをそれぞれ含む複数のＳＳバーストを送信するように更に構成されており、各ＳＳブロックは、一次同期信号部分、二次同期信号部分、及び物理ブロードキャストチャネル部分を含み、ＳＳバースト内の各ＳＳブロックは、少なくとも前記物理ブロードキャストチャネル部分内に同一のコンテンツを有する、請求項１２に記載のセルラ基地局。
【請求項１７】
前記セルラ基地局は、
前記無線デバイスによって検出された前記ＳＳブロックの前記ＳＳブロックインデックスの前記インジケーションに少なくとも部分的に基づいて、前記無線デバイスへの１つ以上の後続の送信のためのビーム構成を選択するように更に構成されている、請求項１２に記載のセルラ基地局。
【請求項１８】
各ＳＳバーストは、１つ以上の公称ＳＳブロックを含み、前記周期的パターンの各期間内で、前記公称ＳＳブロックを含むＳＳバーストの開始に対する各公称ＳＳブロックのタイミングオフセットが固定され、前記セルラ基地局は、
ＳＳバーストの１つ以上の公称ＳＳブロックを送信しないことを決定する、
ように更に構成されている、請求項１２に記載のセルラ基地局。
【国際調査報告】
2020519103.tif 000015
2020519103.tif 000016